(57)【要約】【課題】視認性の良い、かつ消費電力が低減された電子機器システムを提供する。【解決手段】電子機器システムは、表示部と、制御装置と、照度センサと、入力インターフェースと、を有する。表示部は、第１表示領域と、第２表示領域と、第１ドライバと、第２ドライバと、を有する。制御装置は、照度センサによって取得した外光の照度に応じて、第１表示領域のみの表示、第２表示領域のみの表示、又は第１表示領域と第２表示領域との両方の表示、のいずれかを選択する。第１表示領域、及び／又は第２表示領域に表示される画像が静止画である場合、第１表示領域、及び／又は第２表示領域の駆動周波数を低くし、第１表示領域、及び／又は第２表示領域に表示される画像が動画である場合、第１表示領域、及び／又は第２表示領域の駆動周波数を高くする。【選択図】図１
2018056815.tif 000002
【特許請求の範囲】
【請求項１】
表示装置と、制御装置と、照度センサと、入力インターフェースと、を有する電子機器システムであって、
前記表示装置は、第１表示素子と、第２表示素子と、第１ドライバと、第２ドライバと、を有し、
前記第１ドライバは、前記第１表示素子を駆動する機能を有し、
前記第２ドライバは、前記第２表示素子を駆動する機能を有し、
前記照度センサは、外光照度を取得する機能と、前記外光照度を前記制御装置に送信する機能と、を有し、
前記入力インターフェースは、ユーザが前記入力インターフェースに入力した情報を前記制御装置に送信する機能を有し、
前記制御装置は、
前記外光照度が第１設定照度よりも高い場合に、前記第１ドライバに第１画像データと、第２画像データと、を送信する機能と、
前記外光照度が第２設定照度よりも低い場合に、前記第２ドライバに前記第１画像データと、前記第２画像データと、を送信する機能と、
前記外光照度が前記第１設定照度よりも低く、かつ前記第２設定照度よりも高い場合に、前記第１ドライバと、前記第２ドライバと、にそれぞれ前記第１画像データと、前記第２画像データと、を送信する機能と、を有し、
前記第１画像データは、前記第２画像データの前フレームのデータであり、
前記第２画像データは、前記ユーザが前記入力インターフェースで前記情報を入力したしたときに生成されるデータであり、
前記制御装置は、前記第１画像データと、前記第２画像データと、が異なる場合に、前記第１ドライバ、及び／又は、前記第２ドライバの駆動周波数を変更する機能を有することを特徴とする電子機器システム。
【請求項２】
請求項１において、
前記制御装置は、
前記外光照度が前記第１設定照度よりも高く、かつ前記第１画像データと、前記第２画像データと、が異なる場合に、前記第１ドライバの駆動周波数を高くする機能と、
前記外光照度が前記第２設定照度よりも低く、かつ前記第１画像データと、前記第２画像データと、が異なる場合に、前記第２ドライバの駆動周波数を高くする機能と、
前記外光照度が前記第２設定照度以上、前記第１設定照度以下であり、かつ前記第１画像データと、前記第２画像データと、が異なる場合に、前記第１ドライバ及び前記第２ドライバのそれぞれの駆動周波数を高くする機能と、
を有することを特徴とする電子機器システム。
【請求項３】
請求項１、又は請求項２に記載の電子機器システムで、
前記制御装置は、前記外光照度が前記第２設定照度以上、前記第１設定照度以下である場合に、前記第１ドライバに、第３画像データと、第４画像データと、を送信し、かつ前記第２ドライバに、第５画像データと、第６画像データと、を送信する機能を有し、
前記第３画像データと、前記第５画像データは、互いに異なるデータであり、
前記第３画像データは、前記第４画像データの前フレームのデータであり、
前記第５画像データは、前記第６画像データの前フレームのデータであり、
前記第４画像データ、及び前記第６データは、前記ユーザが前記入力インターフェースで前記情報を入力したしたときに生成されるデータであり、
前記制御装置は、
前記第３画像データと、前記第４画像データと、が異なり、かつ前記第５画像データと、前記第６画像データと、が異なる場合に、前記第１ドライバ及び前記第２ドライバのそれぞれの駆動周波数を高くする機能と、
前記第３画像データと、前記第４画像データと、が異なり、かつ前記第５画像データと、前記第６画像データと、が異ならない場合に、前記第１ドライバの駆動周波数を高くし、前記第２ドライバの駆動周波数を変更しない、又は低くする機能と、
前記第３画像データと、前記第４画像データと、が異ならず、かつ前記第５画像データと、前記第６画像データと、が異なる場合に、前記第１ドライバの駆動周波数を変更せず、又は低くし、前記第２ドライバの駆動周波数を高くする機能と、
前記第３画像データと、前記第４画像データと、が異ならず、かつ前記第５画像データと、前記第６画像データと、が異ならない場合に、前記第１ドライバ及び前記第２ドライバの駆動周波数を変更せず、又は低くする機能と、
を有することを特徴とする電子機器システム。
【請求項４】
表示装置と、制御装置と、入力インターフェースと、を有する電子機器システムであって、
前記表示装置は、第１表示素子と、第２表示素子と、第１ドライバと、第２ドライバと、を有し、
前記第１ドライバは、前記第１表示素子を駆動する機能を有し、
前記第２ドライバは、前記第２表示素子を駆動する機能を有し、
前記入力インターフェースは、ユーザが選択したアプリケーションの情報を前記制御装置に送信する機能を有し、
前記制御装置は、前記アプリケーションに基づいて、前記第１ドライバ及び前記第２ドライバのそれぞれの駆動周波数を可変する機能を有することを特徴とする電子機器システム。
【請求項５】
請求項１乃至請求項４のいずれか一項において、
前記第１表示素子は、反射型素子であり、
前記第２表示素子は、自発光型素子であることを特徴とする電子機器システム。
【請求項６】
請求項１乃至請求項５のいずれか一項において、
トランジスタを有し、
前記トランジスタは、チャネル形成領域に、金属酸化物を有することを特徴とする電子機器システム。
【請求項７】
表示装置と、筐体と、を有する電子機器であって、
前記表示装置は、第１表示素子と、第２表示素子と、第１ドライバと、第２ドライバと、を有し、
前記第１ドライバは、前記第１表示素子を駆動する機能を有し、
前記第２ドライバは、前記第２表示素子を駆動する機能を有し、
前記表示装置は、第１表示部と、第２表示部と、を有し、
前記表示装置は、前記第１表示部と、前記第２表示部と、が互いに重なるように、曲げ畳むことができる構造体であり、
前記筐体は、第１筐体と、第２筐体と、ヒンジを有し、
前記筐体は、前記ヒンジによって、前記第１筐体と、前記第２筐体と、が互いに重なるように、曲げて畳むことができる構造体であり、
前記第１筐体は、前記第１表示部を有し、
前記第２筐体は、前記第２表示部を有し、
前記第１表示素子には、前記第１表示部にのみ第１画像を表示し、
前記第２表示素子には、前記第２表示部にのみ第２画像を表示することを特徴とする電子機器。
【請求項８】
請求項７において、
前記第１表示素子は、反射型素子であり、
前記第２表示素子は、自発光型素子であることを特徴とする電子機器。
【請求項９】
請求項７、又は請求項８において、
トランジスタを有し、
前記トランジスタは、チャネル形成領域に、金属酸化物を有することを特徴とする電子機器。
【請求項１０】
請求項７乃至請求項９にいずれか一項に記載の電子機器に、制御装置を含む電子機器システムであって、
前記制御装置は、前記第１ドライバの駆動周波数を低くする機能と、前記第２ドライバの駆動周波数を高くする機能と、を有することを特徴とする電子機器システム。
【発明の詳細な説明】
【技術分野】
【０００１】
本発明の一態様は、電子機器、又は電子機器システムに関する。
【０００２】
なお、本発明の一態様は、上記の技術分野に限定されない。本明細書等で開示する発明の技術分野は、物、方法、又は、製造方法に関するものである。又は、本発明の一態様は、プロセス、マシン、マニュファクチャ、又は、組成物（コンポジション・オブ・マター）に関するものである。そのため、より具体的に本明細書で開示する本発明の一態様の技術分野としては、半導体装置、表示装置、液晶表示装置、発光装置、蓄電装置、撮像装置、記憶装置、プロセッサ、電子機器、それらの駆動方法、それらの製造方法、それらの検査方法、又はそれらのシステムを一例として挙げることができる。
【背景技術】
【０００３】
近年、スマートフォンなどの携帯電話、タブレット型情報端末、ノート型ＰＣ（パーソナルコンピュータ）、携帯ゲーム機等が有する表示装置において、様々な面で改良が進められている。例えば、解像度を大きくする、色再現性（ＮＴＳＣ比）を高くする、駆動回路を小さくする、消費電力を低減する、等の表示装置の開発が行われている。
【０００４】
また、改良の１つとして、環境の光に応じて、表示装置に映す画像の明るさを自動的に調節する機能を有する表示装置が挙げられる。該表示装置として、例えば、環境の光を反射して画像を映す機能と、発光素子を光らせて画像を映す機能と、を有する表示装置が挙げられる。この構成にすることにより、環境の光が十分に強い場合には、反射光を利用して表示装置に画像を映す表示モード（以下、反射モード、又は、第１モードという。）とし、又は環境の光が弱い場合には、発光素子を光らせて表示装置に画像を映す表示モード（以下、透過モード、自発光モード、又は、第２モードという。）として、表示装置に映す画像の明るさの調節を行うことができる。つまり、該表示装置は、照度計（照度センサという場合もある。）などを用いて環境の光を検知することによって、該光の強さに応じて表示方法を第１モード、第２モード、又はそれら両方を用いたモード（以下、ハイブリッド表示、又は第３モードという。）のいずれかを選択して、画像の表示を行うことができる。
【０００５】
ところで、発光素子を光らせて画像を映す機能と、環境の光を反射して画像を映す機能と、を有する表示装置として、例えば、１つの画素に、液晶素子を制御する画素回路と、発光素子を制御する画素回路と、を有する表示装置が特許文献１乃至特許文献３に開示されている。
【０００６】
本明細書では、このように、表示素子として発光素子（例えば、透過型液晶素子、有機ＥＬ、無機ＥＬ、窒化物半導体発光ダイオード等）と、反射型素子（反射型液晶素子）と、を有するディスプレイを、ＥＲ−Ｈｙｂｒｉｄ  ディスプレイ（Ｅｍｉｓｓｉｖｅ  ＯＬＥＤ  ａｎｄ  Ｒｅｆｌｅｃｔｉｖｅ  ＬＣ  Ｈｙｂｒｉｄ  ディスプレイ、または、Ｅｍｉｓｓｉｏｎ／Ｒｅｆｌｅｃｔｉｏｎ  Ｈｙｂｒｉｄ  ディスプレイ）と呼称する。また、表示素子として透過型液晶素子と、反射型液晶素子と、を有するディスプレイをＴＲ−Ｈｙｂｒｉｄ  ディスプレイ（Ｔｒａｎｓｍｉｓｓｉｖｅ  ＬＣ  ａｎｄ  Ｒｅｆｌｅｃｔｉｖｅ  ＬＣ  Ｈｙｂｒｉｄ  ディスプレイ、または、Ｔｒａｎｓｍｉｓｓｉｏｎ／Ｒｅｆｌｅｃｔｉｏｎ  Ｈｙｂｒｉｄ  ディスプレイ）と呼称する。また、表示素子として発光素子と、反射型素子と、を有する表示装置を、ハイブリッド表示装置と呼称し、ハイブリッド表示装置を有するディスプレイをハイブリッドディスプレイと呼称する。
【先行技術文献】
【特許文献】
【０００７】
【特許文献１】米国特許出願公開第２００３／０１０７６８８号明細書
【特許文献２】国際公開第２００７／０４１１５０号公報
【特許文献３】特開２００８−２２５３８１号公報
【発明の概要】
【発明が解決しようとする課題】
【０００８】
ハイブリッド表示装置は、環境の光に応じて第１モード乃至第３モードのいずれかを選択するため、視認性の高い画像を表示することができる。一方、ハイブリッド表示装置は、表示素子として発光素子と、反射型素子と、を有するため、１つの表示素子の表示装置と比較して、消費電力が高くなる場合がある。
【０００９】
本発明の一態様は、新規の表示装置を提供することを課題の１つとする。又は、本発明の一態様は、該表示装置の動作方法を提供することを課題の１つとする。又は、本発明の一態様は、該表示装置を有する電子機器、又は該電子機器のシステムを提供することを課題の１つとする。
【００１０】
又は、本発明の一態様は、消費電力が低減された表示装置を提供することを課題の１つとする。又は、本発明の一態様は、視認性を高めた電子機器を提供することを課題の１つとする。
【００１１】
なお本発明の一態様の課題は、上記列挙した課題に限定されない。上記列挙した課題は、他の課題の存在を妨げるものではない。なお他の課題は、以下の記載で述べる、本項目で言及していない課題である。本項目で言及していない課題は、当業者であれば明細書又は図面等の記載から導き出せるものであり、これらの記載から適宜抽出することができる。なお、本発明の一態様は、上記列挙した記載、及び他の課題のうち、少なくとも一つの課題を解決するものである。なお、本発明の一態様は、上記列挙した記載、及び他の課題の全ての課題を解決する必要はない。
【課題を解決するための手段】
【００１２】
（１）
本発明の一態様は、表示装置と、制御装置と、照度センサと、入力インターフェースと、を有する電子機器システムであって、表示装置は、第１表示素子と、第２表示素子と、第１ドライバと、第２ドライバと、を有し、第１ドライバは、第１表示素子を駆動する機能を有し、第２ドライバは、第２表示素子を駆動する機能を有し、照度センサは、外光照度を取得する機能と、外光照度を制御装置に送信する機能と、を有し、入力インターフェースは、ユーザが入力インターフェースに入力した情報を制御装置に送信する機能を有し、制御装置は、外光照度が第１設定照度よりも高い場合に、第１ドライバに第１画像データと、第２画像データと、を送信する機能と、外光照度が第２設定照度よりも低い場合に、第２ドライバに第１画像データと、第２画像データと、を送信する機能と、外光照度が第１設定照度よりも低く、かつ第２設定照度よりも高い場合に、第１ドライバと、第２ドライバと、にそれぞれ第１画像データと、第２画像データと、を送信する機能と、を有し、第１画像データは、第２画像データの前フレームのデータであり、第２画像データは、ユーザが入力インターフェースで情報を入力したしたときに生成されるデータであり、制御装置は、第１画像データと、第２画像データと、が異なる場合に、第１ドライバ、及び／又は、第２ドライバの駆動周波数を変更する機能を有することを特徴とする電子機器システムである。
【００１３】
（２）
又は、本発明の一態様は、前記（１）において、制御装置は、外光照度が第１設定照度よりも高く、かつ第１画像データと、第２画像データと、が異なる場合に、第１ドライバの駆動周波数を高くする機能と、外光照度が第２設定照度よりも低く、かつ第１画像データと、第２画像データと、が異なる場合に、第２ドライバの駆動周波数を高くする機能と、外光照度が第２設定照度以上、第１設定照度以下であり、かつ第１画像データと、第２画像データと、が異なる場合に、第１ドライバ及び第２ドライバのそれぞれの駆動周波数を高くする機能と、を有することを特徴とする電子機器システムである。
【００１４】
（３）
又は、本発明の一態様は、前記（１）、又は前記（２）に記載の電子機器システムで、制御装置は、外光照度が第２設定照度以上、第１設定照度以下である場合に、第１ドライバに、第３画像データと、第４画像データと、を送信し、かつ第２ドライバに、第５画像データと、第６画像データと、を送信する機能を有し、第３画像データと、第５画像データは、互いに異なるデータであり、第３画像データは、第４画像データの前フレームのデータであり、第５画像データは、第６画像データの前フレームのデータであり、第４画像データ、及び第６データは、ユーザが入力インターフェースで情報を入力したしたときに生成されるデータであり、制御装置は、第３画像データと、第４画像データと、が異なり、かつ第５画像データと、第６画像データと、が異なる場合に、第１ドライバ及び第２ドライバのそれぞれの駆動周波数を高くする機能と、第３画像データと、第４画像データと、が異なり、かつ第５画像データと、第６画像データと、が異ならない場合に、第１ドライバの駆動周波数を高くし、第２ドライバの駆動周波数を変更しない、又は低くする機能と、第３画像データと、第４画像データと、が異ならず、かつ第５画像データと、第６画像データと、が異なる場合に、第１ドライバの駆動周波数を変更せず、又は低くし、第２ドライバの駆動周波数を高くする機能と、第３画像データと、第４画像データと、が異ならず、かつ第５画像データと、第６画像データと、が異ならない場合に、第１ドライバ及び第２ドライバの駆動周波数を変更せず、又は低くする機能と、を有することを特徴とする電気機器システムである。
【００１５】
（４）
又は、本発明の一態様は、表示装置と、制御装置と、入力インターフェースと、を有する電子機器システムであって、表示装置は、第１表示素子と、第２表示素子と、第１ドライバと、第２ドライバと、を有し、第１ドライバは、第１表示素子を駆動する機能を有し、第２ドライバは、第２表示素子を駆動する機能を有し、入力インターフェースは、ユーザが選択したアプリケーションの情報を制御装置に送信する機能を有し、制御装置は、アプリケーションに基づいて、第１ドライバ及び第２ドライバのそれぞれの駆動周波数を可変する機能を有することを特徴とする電子機器システムである。
【００１６】
（５）
又は、本発明の一態様は、前記（１）乃至（４）のいずれか一項において、第１表示素子は、反射型素子であり、第２表示素子は、自発光型素子であることを特徴とする電子機器システムである。
【００１７】
（６）
又は、本発明の一態様は、前記（１）乃至（５）のいずれか一項において、トランジスタを有し、トランジスタは、チャネル形成領域に、金属酸化物を有することを特徴とする電子機器システムである。
【００１８】
（７）
又は、本発明の一態様は、表示装置と、筐体と、を有する電子機器であって、表示装置は、第１表示素子と、第２表示素子と、第１ドライバと、第２ドライバと、を有し、第１ドライバは、第１表示素子を駆動する機能を有し、第２ドライバは、第２表示素子を駆動する機能を有し、表示装置は、第１表示部と、第２表示部と、を有し、表示装置は、第１表示部と、第２表示部と、が互いに重なるように、曲げ畳むことができる構造体であり、筐体は、第１筐体と、第２筐体と、ヒンジを有し、筐体は、ヒンジによって、第１筐体と、第２筐体と、が互いに重なるように、曲げて畳むことができる構造体であり、第１筐体は、第１表示部を有し、第２筐体は、第２表示部を有し、第１表示素子には、第１表示部にのみ第１画像を表示し、第２表示素子には、第２表示部にのみ第２画像を表示することを特徴とする電子機器である。
【００１９】
（８）
又は、本発明の一態様は、前記（７）において、第１表示素子は、反射型素子であり、第２表示素子は、自発光型素子であることを特徴とする電子機器である。
【００２０】
（９）
又は、本発明の一態様は、前記（７）、又は前記（８）において、トランジスタを有し、トランジスタは、チャネル形成領域に、金属酸化物を有することを特徴とする電子機器である。
【００２１】
（１０）
又は、本発明の一態様は、前記（７）乃至（９）にいずれか一項に記載の電子機器に、制御装置を含む電子機器システムであって、制御装置は、第１ドライバの駆動周波数を低くする機能と、第２ドライバの駆動周波数を高くする機能と、を有することを特徴とする電子機器システムである。
【発明の効果】
【００２２】
本発明の一態様によって、新規の表示装置を提供することができる。又は、本発明の一態様によって、該表示装置の動作方法を提供することができる。又は、本発明の一態様によって、該表示装置を有する電子機器、又は該電子機器のシステムを提供することができる。
【００２３】
又は、本発明の一態様によって、消費電力が低減された表示装置を提供することができる。又は、本発明の一態様によって、視認性を高めた電子機器を提供することができる。
【００２４】
なお本発明の一態様の効果は、上記列挙した効果に限定されない。上記列挙した効果は、他の効果の存在を妨げるものではない。なお他の効果は、以下の記載で述べる、本項目で言及していない効果である。本項目で言及していない効果は、当業者であれば明細書又は図面等の記載から導き出せるものであり、これらの記載から適宜抽出することができる。なお、本発明の一態様は、上記列挙した効果、及び他の効果のうち、少なくとも一つの効果を有するものである。従って本発明の一態様は、場合によっては、上記列挙した効果を有さない場合もある。
【図面の簡単な説明】
【００２５】
【図１】電子機器システムの構成例を示すブロック図。
【図２】電子機器システムの構成例を示すブロック図。
【図３】電子機器システムの動作例を示すフローチャート。
【図４】電子機器システムの動作例を示すフローチャート。
【図５】電子機器システムの動作例を示すフローチャート。
【図６】電子機器システムの動作例を示すフローチャート。
【図７】電子機器の構成例を示す斜視図。
【図８】電子機器の動作例を示す斜視図。
【図９】表示装置の構成例を説明する模式図。
【図１０】表示装置の構成例を説明する、回路図及びタイミングチャート。
【図１１】表示装置の一例を示す斜視図。
【図１２】入出力パネルの構成例を示す断面図。
【図１３】入出力パネルの構成例を示す断面図。
【図１４】タッチセンサユニットの構成例を示す回路図と、概観の例を示す上面図。
【図１５】表示モジュールの一例を示す図。
【図１６】電子機器の一例を示す斜視図。
【発明を実施するための形態】
【００２６】
本明細書において、ハイブリッド表示（第３モードの表示）とは、１つのパネルにおいて、反射光と、自発光とを併用して、色調または光強度を互いに補完して、文字または画像を表示する方法である。または、ハイブリッド表示とは、同一画素または同一副画素において複数の表示素子から、それぞれの光を用いて、文字及び／又は画像を表示する方法である。ただし、ハイブリッド表示を行っているハイブリッドディスプレイを局所的にみると、複数の表示素子のいずれか一を用いて表示される画素または副画素と、複数の表示素子の二以上を用いて表示される画素または副画素と、を有する場合がある。
【００２７】
なお、本明細書等において、上記構成のいずれか１つまたは複数の表現を満たすものを、ハイブリッド表示という。
【００２８】
また、ハイブリッドディスプレイは、同一画素または同一副画素に複数の表示素子を有する。なお、複数の表示素子としては、例えば、光を反射する反射型素子と、光を射出する自発光素子とが挙げられる。なお、反射型素子と、自発光素子とは、それぞれ独立に制御することができる。ハイブリッドディスプレイは、表示部において、反射光、及び自発光のいずれか一方または双方を用いて、文字及び／または画像を表示する機能を有する。
【００２９】
本明細書等において、画像とは、静止画に加え、動画を含む表記であるとする。つまり、本明細書等において、画像と記載された場合、静止画、動画のどちらかの表記に置き換えて、呼称することができる。また、動画は、映像などの表記に置き換えて呼称することができる。
【００３０】
本明細書等において、金属酸化物（ｍｅｔａｌ  ｏｘｉｄｅ）とは、広い表現での金属の酸化物である。金属酸化物は、酸化物絶縁体、酸化物導電体（透明酸化物導電体を含む）、酸化物半導体（Ｏｘｉｄｅ  Ｓｅｍｉｃｏｎｄｕｃｔｏｒまたは単にＯＳともいう）などに分類される。例えば、トランジスタの活性層に金属酸化物を用いた場合、当該金属酸化物を酸化物半導体と呼称する場合がある。つまり、金属酸化物が増幅作用、整流作用、及びスイッチング作用の少なくとも１つを有するトランジスタのチャネル形成領域を構成し得る場合、当該金属酸化物を、金属酸化物半導体（ｍｅｔａｌ  ｏｘｉｄｅ  ｓｅｍｉｃｏｎｄｕｃｔｏｒ）、略してＯＳと呼ぶことができる。また、ＯＳ  ＦＥＴと記載する場合においては、金属酸化物または酸化物半導体を有するトランジスタと換言することができる。
【００３１】
また、本明細書等において、窒素を有する金属酸化物も金属酸化物（ｍｅｔａｌ  ｏｘｉｄｅ）と総称する場合がある。また、窒素を有する金属酸化物を、金属酸窒化物（ｍｅｔａｌ  ｏｘｙｎｉｔｒｉｄｅ）と呼称してもよい。
【００３２】
（実施の形態１）
本実施の形態では、ハイブリッド表示装置を有する電子機器システムの構成例と、該電子機器システムの動作例と、について説明する。
【００３３】
＜構成例＞
図１に本実施の形態で説明する電子機器システムの構成例を示す。電子機器システム１００は、ハイブリッド表示装置１１０と、制御装置１０３と、入力インターフェース１０４と、照度センサ１０５と、を有する。ハイブリッド表示装置１１０は、表示部１０１と、第１ドライバ１０２ａと、第２ドライバ１０２ｂと、を有する。
【００３４】
表示部１０１は、第１表示領域１０１ａと、第２表示領域１０１ｂと、を有する。特に、本実施の形態で説明する電子機器システム１００の表示部１０１は、可視光を反射する第１表示素子（反射型素子ともいう。）と、可視光を発する第２表示素子（自発光型素子ともいう。）と、を有するものとする。具体的には、第１表示領域１０１ａは、マトリクス状に第１表示素子を有し、第２表示領域１０１ｂは、マトリクス状に第２表示素子を有するものとする。
【００３５】
つまり、電子機器システム１００は、第１表示素子と、第２表示素子と、の一方を用いて、又は第１表示素子と、第２表示素子と、の両方を用いて、画像を表示する機能を有する。
【００３６】
第１ドライバ１０２ａは、第１表示領域１０１ａが有する第１表示素子を駆動する機能を有し、第２ドライバ１０２ｂは、第２表示領域１０１ｂが有する第２表示素子を駆動する機能を有する。
【００３７】
制御装置１０３は、第１ドライバ１０２ａと、第２ドライバ１０２ｂと、に送信するための、画像データ、タイミング信号などを生成する機能を有する。具体的には、制御装置１０３は、制御装置１０３は、基の画像データに補正を行う画像処理部、一時的に画像データを保持するフレームメモリ、タイミング信号を送信するタイミングコントローラ等を有する。なお、図示していないが、制御装置１０３は、ハイブリッド表示装置１１０に含まれる構成としてもよい。
【００３８】
また、制御装置１０３は、入力インターフェース１０４、及び照度センサ１０５から送られてきたデータを受け取ることで、該データに基づいて、第１ドライバ１０２ａと、第２ドライバ１０２ｂと、の一方に、又は第１ドライバ１０２ａと、第２ドライバ１０２ｂと、の両方に、制御信号を送信する機能を有する。
【００３９】
入力インターフェース１０４は、電子機器システム１００に対して、情報を入力するデバイスである。具体的には、例えば、表示部１０１に備える操作ボタン、タッチセンサユニット、カメラ、マイク等が挙げられる。特に、タッチセンサユニットの場合、電子機器システム１００のユーザがタッチセンサユニットの領域にタッチ、又はペン入力を行うことで、電子機器システム１００の制御装置１０３に制御信号を入力することができる。
【００４０】
照度センサ１０５は、外光１０６の照度を計測する機能を有する。外光１０６が明るい場合、表示部１０１は、外光１０６の反射を利用できるため、第１表示領域１０１ａの第１表示素子（反射型素子）で画像を表示する（第１モードで表示する）のが好ましい。また、外光１０６が暗い場合、表示部１０１は、外光１０６の反射を利用できないため、第２表示領域１０１ｂの第２表示素子（自発光型素子）で画像を表示する（第２モードで表示する）のが好ましい。つまり、制御装置１０３は、照度センサ１０５によって計測された外光１０６の照度を取得して、該照度に基づいて、第１モード、第２モード、又は第１表示素子と第２表示素子の両方で表示するモード（第３モード）のいずれかの方法で、画像を表示する構成としている。
【００４１】
また、照度センサ１０５は、前述した入力インターフェース１０４に含まれてもよい。
【００４２】
図２は、上述した第１ドライバ１０２ａと、第２ドライバ１０２ｂと、制御装置１０３と、の構成例の詳細を示している。
【００４３】
電子機器システム１００の表示部１０１は、第１表示領域１０１ａと、第２表示領域１０１ｂと、を有しているため、電子機器システム１００は、第１表示領域１０１ａと、第２表示領域１０１ｂと、を独立に駆動する構成とするのが好ましい。そのため、第１ドライバ１０２ａ、第２ドライバ１０２ｂは、それぞれ画像信号を送信するソースドライバと、表示素子の選択信号を送信するゲートドライバと、を有する。具体的には、第１ドライバ１０２ａは、ソースドライバ１１１ａと、ゲートドライバ１１２ａを有し、第２ドライバ１０２ｂは、ソースドライバ１１１ｂと、ゲートドライバ１１２ｂを有する。
【００４４】
制御装置１０３は、タイミングコントローラ１１３と、表示コントローラ１１４と、ＣＰＵ（Ｃｅｎｔｒａｌ  Ｐｒｏｃｅｓｓｉｎｇ  Ｕｎｉｔ）１１５と、フレームメモリ１１６と、画像処理装置１１７と、センサコントローラ１１８と、を有する。
【００４５】
ＣＰＵ１１５は、外部から送られてきた画像データ１０をレンダリングする機能を有する。ここでいう外部とは、例えば、電子機器システム１００が備えるホスト装置、又は受信装置等が挙げられる。また、電子機器システム１００において、ＣＰＵの代わりにＧＰＵ（Ｇｒａｐｈｉｃｓ  Ｐｒｏｃｅｓｓｉｎｇ  Ｕｎｉｔ）を用いた構成としてもよい。
【００４６】
なお、レンダリングされた画像データ１０は、制御装置内部に有するメモリ（図示しない。）に保存される構成としてもよい。この場合、保存された画像データ１０は、所定のタイミングで表示コントローラ１１４に送信される。
【００４７】
図２において、ＣＰＵ１１５は、入力インターフェース１０４と、センサコントローラ１１８と、に電気的に接続されている。ＣＰＵ１１５は、画像データをレンダリングする機能の他に、入力インターフェース１０４からの制御信号を受け取り、該制御信号に基づく動作を行う機能と、センサコントローラ１１８からの制御信号を受け取って、表示方法として第１モード乃至第３モードのいずれかを選択する機能を有する。なお、本発明の一態様は、上述のように複数の処理を１つのＣＰＵで行う構成に限定せず、複数のＣＰＵを設けて、複数の処理を行う構成としてもよい。
【００４８】
表示コントローラ１１４は、ＣＰＵ１１５からの制御信号と、画像データ１０と、を受け取ることで、タイミングコントローラ１１３にビデオ同期信号を送信する機能と、画像処理装置１１７に画像データ１０を送信する機能と、を有する。
【００４９】
タイミングコントローラ１１３は、表示コントローラ１１４からのビデオ同期信号を受け取って、駆動周波数に基づくタイミング信号を第１ドライバ１０２ａのソースドライバ１１１ａ、ゲートドライバ１１２ａ、第２ドライバ１０２ｂのソースドライバ１１１ｂ、ゲートドライバ１１２ｂのそれぞれに送信する機能を有する。また、タイミングコントローラ１１３は、駆動周波数を可変する機能を有する。
【００５０】
画像処理装置１１７は、画像データ１０に対して、各種画像処理を行う機能を有する。例えば、画像処理装置１１７は、調光回路、調色回路などを有する。調光回路は、外光１０６の明るさに応じて第１表示素子の反射強度、及び／又は第２表示素子の発光強度を調整する回路である。調色回路は、第３モードにおいて、外光１０６の色味に応じて、第２表示素子の発光する色を調整する回路である。具体的には、調色回路は、例えば、夕暮れ時の赤みがかかった環境では、第１表示素子による表示ではＧ（緑）成分、又はＢ（青）成分が不足するため、第２表示素子でその足りない色を発光するように色調を調整する。
【００５１】
また、第１表示素子、又は第２表示素子として液晶素子を適用した場合、画像処理装置１１７は、ガンマ補正回路を有してもよい。ガンマ補正回路は、ガンマ値を補正する機能を有する回路であり、ガンマ値とは、入力電圧（又は入力電流）に対する画像の階調の応答特性を示す数値である。一般的には、ガンマ値が１未満の場合は、表示部には黒が浮いた画像が映され、またガンマ値が１より大きい場合は、表示部には黒が潰れた画像が映される。ガンマ補正回路は、ガンマ値が１となるように、該入力電圧（又は該入力電流）を補正する機能を有する。
【００５２】
また、第２表示素子として、有機ＥＬ素子を適用した場合、画像処理装置１１７は、ＥＬ補正回路を有してもよい。ＥＬ補正回路は、ソースドライバ１１１ｂに有機ＥＬ素子を流れる電流を検出する電流検出回路を備えている場合に、設けられる。ＥＬ補正回路は、ソースドライバ１１１ｂの電流検出回路から送信される信号に基づいて、有機ＥＬ素子の輝度を調節する機能をもつ。
【００５３】
センサコントローラ１１８は、照度センサ１０５からの外光１０６の照度に基づく検知信号を受け取ることで、表示部１０１の表示方法に関する制御信号を生成してＣＰＵ１１５に送信する機能を有する。該制御信号には、表示部１０１の駆動方法を有しており、表示部１０１を第１モード乃至第３モードのいずれかのモードで駆動する情報が含まれている。
【００５４】
＜動作例＞
次に、電子機器システム１００の動作例について説明する。
【００５５】
図３乃至図５は、電子機器システム１００の動作例を示すフローチャートであり、本動作例では、ステップＳＴ１乃至ステップＳＴ２４の処理が行われる。なお、本動作例は、図３に示すフローチャートから開始される。
【００５６】
ステップＳＴ１では、電子機器システム１００は、初期状態として、第１表示領域１０１ａ、及び第２表示領域１０１ｂのそれぞれの駆動周波数がｆ１となるように動作する。つまり、ステップＳＴ１では、タイミングコントローラ１１３は、第１ドライバ１０２ａ及び第２ドライバ１０２ｂのそれぞれに、駆動周波数がｆ１であるタイミング信号を送信する処理が行われる。なお、駆動周波数ｆ１は、例えば、６０Ｈｚ未満であることが好ましい。
【００５７】
ステップＳＴ２では、照度センサ１０５から外光の照度を取得する処理が行われる。このとき、取得した外光の照度をｌｘと表記する。外光の照度ｌｘは、照度センサ１０５から制御装置１０３に送信される。
【００５８】
ステップＳＴ３では、ステップＳＴ２で取得した外光の照度ｌｘが、あらかじめ電子機器システム１００で設定された照度ｌｘ１よりも高いか否かの判定が行われる。照度ｌｘが設定照度ｌｘ１よりも高い場合は、ステップＳＴ４に移行し、照度ｌｘが設定照度ｌｘ１よりも低い場合は、ステップＳＴ８に移行する。なお、照度ｌｘと設定照度ｌｘ１が等しい場合は、ステップＳＴ４、又はステップＳＴ８のどちらか一方に移行するものとする。例えば、電子機器システム１００のユーザが、照度ｌｘと設定照度ｌｘ１が等しい場合において、ステップＳＴ４、又はステップＳＴ８のどちらに移行するかを、あらかじめ設定してもよい。
【００５９】
ステップＳＴ４では、表示部１０１を第１モードとして表示する動作が行われる。第１モードとは、第１表示領域１０１ａにのみ画像を表示するモードであり、このとき、第２表示領域１０１ｂには画像は表示されない。つまり、ステップＳＴ４では、第１表示素子、すなわち反射型素子のみを駆動させて、反射光によって表示部１０１に画像を表示する動作が行われている。
【００６０】
ステップＳＴ５は、電子機器システム１００のユーザが入力インターフェース１０４を用いて電子機器システム１００に何らかの操作を行ったステップである。
【００６１】
ステップＳＴ６では、ステップＳＴ５においてユーザが何らかの操作を行ったときに、表示部１０１の表示画像が、前フレームの画像と異なったか否かの判定が行われる。表示部１０１の表示画像が、前フレームの画像と異なった場合、ステップＳＴ７に移行し、表示部１０１の表示画像が、前フレームの画像と一致する場合、ステップＳＴ２に移行する。
【００６２】
ステップＳＴ７では、電子機器システム１００は、第１表示領域１０１ａの駆動周波数がｆ２となるように動作する。つまり、ステップＳＴ７では、タイミングコントローラ１１３は、第１ドライバ１０２ａに、駆動周波数がｆ２のタイミング信号を送信する処理が行われる。ｆ２は、ｆ１よりも高い駆動周波数であり、ステップＳＴ７において、駆動周波数をｆ１からｆ２まで上げることによって、表示部１０１の表示画像の書き換えを素早く行うことができる。なお、駆動周波数ｆ２は、例えば、６０Ｈｚ以上であることが好ましく、また、１２０Ｈｚ以上であることがより好ましい。
【００６３】
ステップＳＴ７が行われた後において、本動作は終了する。なお、電子機器システム１００の利用している途中で外光が変化した場合、ステップＳＴ２に移行して、再度外光の照度を取得する動作を行って、第１表示領域１０１ａ、第２表示領域１０１ｂの駆動周波数の更新を行ってもよい。また、電子機器システム１００の利用している途中で、ユーザが、新たに入力インターフェース１０４を用いて操作を行う場合、ステップＳＴ５に移行して、第１表示領域１０１ａ、第２表示領域１０１ｂの駆動周波数の更新を行ってもよい。
【００６４】
ステップＳＴ８では、ステップＳＴ２で取得した外光の照度ｌｘが、あらかじめ電子機器システム１００で設定された照度ｌｘ２よりも低いか否かの判定が行われる。照度ｌｘが設定照度ｌｘ２よりも低い場合は、ステップＳＴ９に移行し、照度ｌｘが設定照度ｌｘ２よりも高い場合は、ステップＳＴ１３に移行する。なお、照度ｌｘと設定照度ｌｘ２が等しい場合は、ステップＳＴ９、又はステップＳＴ１３のどちらか一方に移行するものとする。例えば、電子機器システム１００のユーザが、照度ｌｘと設定照度ｌｘ２が等しい場合において、ステップＳＴ９、又はステップＳＴ１３のどちらに移行するかを、あらかじめ設定してもよい。
【００６５】
ステップＳＴ９では、表示部１０１を第２モードとして表示する動作が行われる。第２モードとは、第２表示領域１０１ｂにのみ画像を表示するモードであり、このとき、第１表示領域１０１ａには画像は表示されない。つまり、ステップＳＴ９では、第２表示素子、すなわち自発光型素子のみを駆動させて、自発光によって表示部１０１に画像を表示する動作が行われている。
【００６６】
ステップＳＴ１０は、電子機器システム１００のユーザが入力インターフェース１０４を用いて電子機器システム１００に何らかの操作を行ったステップである。
【００６７】
ステップＳＴ１１では、ステップＳＴ１０においてユーザが何らかの操作を行ったときに、表示部１０１の表示画像が、前フレームの画像と異なったか否かの判定が行われる。表示部１０１の表示画像が、前フレームの画像と異なった場合、ステップＳＴ１２に移行し、表示部１０１の表示画像が、前フレームの画像と一致する場合、ステップＳＴ２に移行する。
【００６８】
ステップＳＴ１２では、電子機器システム１００は、第２表示領域１０１ｂの駆動周波数がｆ３となるように動作する。つまり、ステップＳＴ１２では、タイミングコントローラ１１３は、第２ドライバ１０２ｂに、駆動周波数がｆ３のタイミング信号を送信する処理が行われる。ｆ３は、ｆ１よりも高い駆動周波数であり、ステップＳＴ１２において、駆動周波数をｆ１からｆ３まで上げることによって、表示部１０１の表示画像の書き換えを素早く行うことができる。なお、駆動周波数ｆ３は、例えば、６０Ｈｚ以上であることが好ましく、また、１２０Ｈｚ以上であることがより好ましい。また、駆動周波数ｆ３は、駆動周波数ｆ２と等しくてもよいし、異なってもよい。
【００６９】
ステップＳＴ１２が行われた後において、本動作は終了する。なお、電子機器システム１００の利用している途中で外光が変化した場合、ステップＳＴ２に移行して、再度外光の照度を取得する動作を行って、第１表示領域１０１ａ、第２表示領域１０１ｂの駆動周波数の更新を行ってもよい。また、電子機器システム１００の利用している途中で、ユーザが、新たに入力インターフェース１０４を用いて操作を行う場合、ステップＳＴ１０に移行して、第１表示領域１０１ａ、第２表示領域１０１ｂの駆動周波数の更新を行ってもよい。
【００７０】
ステップＳＴ１３では、表示部１０１を第３モードとして表示する動作が行われる。第２モードとは、第１表示領域１０１ａ、及び第２表示領域１０１ｂの両方に画像を表示するモードである。つまり、ステップＳＴ１３では、第１表示素子、及び第２表示素子、すなわち自発光型素子のみを駆動させて、自発光によって表示部１０１に画像を表示する動作が行われている。
【００７１】
ステップＳＴ１４では、ステップＳＴ１３においてユーザが何らかの操作を行ったときに、表示部１０１の表示画像が、前フレームの画像と異なったか否かの判定が行われる。表示部１０１の表示画像が、前フレームの画像と異なった場合、ステップＳＴ１２に移行し、表示部１０１の表示画像が、前フレームの画像と一致する場合、図３のＡに進む。図３のＡに進んだ場合、図４のフローチャートのＡに移行して、処理が続行される。
【００７２】
図４では、図３のフローチャートにおいて、照度センサ１０５で取得した外光の照度ｌｘが、電子機器システム１００であらかじめ設定された照度ｌｘ１よりも低く、かつ同様に設定された照度ｌｘ２よりも高い場合に行われる、電子機器システム１００の動作例を示すフローチャートである。
【００７３】
ステップＳＴ１５では、ステップＳＴ１４においてユーザが何らかの操作を行ったときに、第１表示領域の表示画像と、第２表示領域の表示画像と、の画像が異なっているか否かの判定が行われる。第１表示領域の表示画像が、第２表示領域の表示画像と異なっていた場合、ステップＳＴ１６に移行し、第１表示領域の表示画像が、第２表示領域の表示画像と一致する場合、図４のＢに進む。図４のＢに進んだ場合、図５のフローチャートのＢに移行して、処理が続行される。
【００７４】
ステップＳＴ１６では、ステップＳＴ１４においてユーザが何らかの操作を行ったときに、表示部１０１の第２表示領域１０１ｂの表示画像が、前フレームの画像と異なったか否かの判定が行われる。表示部１０１の第２表示領域１０１ｂの表示画像が、前フレームの画像と異なった場合、ステップＳＴ１７に移行し、表示部１０１の第２表示領域１０１ｂの表示画像が、前フレームの画像と一致する場合、図４のＣに進む。図４のＣに進んだ場合、図５のフローチャートのＣに移行して、処理が続行される。
【００７５】
ステップＳＴ１７では、ステップＳＴ１４においてユーザが何らかの操作を行ったときに、表示部１０１の第１表示領域１０１ａの表示画像が、前フレームの画像と異なったか否かの判定が行われる。表示部１０１の第１表示領域１０１ａの表示画像が、前フレームの画像と異なった場合、ステップＳＴ１８に移行し、表示部１０１の第１表示領域１０１ａの表示画像が、前フレームの画像と一致する場合、ステップＳＴ１９に移行する。
【００７６】
ステップＳＴ１８では、電子機器システム１００は、第１表示領域１０１ａと、第２表示領域１０１ｂの駆動周波数がｆ５となるように動作する。つまり、ステップＳＴ１８では、第１表示領域１０１ａの表示画像と、第２表示領域１０１ｂの表示画像と、のそれぞれが、前フレームと異なっていた場合に、タイミングコントローラ１１３が、第１ドライバ１０２ａ及び第２ドライバ１０２ｂに、駆動周波数がｆ５のタイミング信号を送信する処理が行われる。ｆ５は、ｆ１よりも高い駆動周波数であり、ステップＳＴ１８において、駆動周波数をｆ１からｆ５まで上げることによって、表示部１０１の表示画像の書き換えを素早く行うことができる。なお、駆動周波数ｆ５は、例えば、６０Ｈｚ以上であることが好ましく、また、１２０Ｈｚ以上であることがより好ましい。また、駆動周波数ｆ５は、駆動周波数ｆ２、ｆ３と等しくてもよいし、異なってもよい。
【００７７】
ステップＳＴ１９では、電子機器システム１００は、第１表示領域１０１ａの駆動周波数がｆ１となり、第２表示領域１０１ｂの駆動周波数がｆ３となるように動作する。つまり、ステップＳＴ１９では、第１表示領域１０１ａの表示画像が前フレームと一致し、かつ第２表示領域１０１ｂの表示画像が前フレームと異なる場合に、タイミングコントローラ１１３が、第１ドライバ１０２ａに駆動周波数がｆ１のタイミング信号を送信し、第２ドライバ１０２ｂに駆動周波数がｆ３のタイミング信号を送信する処理が行われる。
【００７８】
第１表示領域１０１ａの表示画像は前フレームと一致するため、駆動周波数を低くすることができる。したがって、第１表示領域１０１ａにおいて、単位時間あたりの表示画像を少なくすることができる。なお、ステップＳＴ１９では、第１表示領域１０１ａの駆動周波数をｆ１としているが、場合によって、又は、状況に応じて、駆動周波数をｆ１よりも低くしてもよい。また、第２表示領域１０１ｂの表示画像は前フレームと異なるため、駆動周波数を高くする必要がある。そのため、ステップＳＴ１９では、第２表示領域１０１ｂの駆動周波数をｆ１からｆ３まで上げることで、第２表示領域１０１ｂの表示画像の書き換えを素早く行う。
【００７９】
図５では、図４のフローチャートにおいて、第１表示領域の表示画像と、第２表示領域の表示画像が一致する場合、又は、第１表示領域の表示画像と第２表示領域の画像が異なり、第２表示領域の表示画像が前フレームと一致する場合に行われる、電子機器システム１００の動作例を示すフローチャートである。
【００８０】
ステップＳＴ２０では、ステップＳＴ１４においてユーザが何らかの操作を行ったときに、表示部１０１の第１表示領域１０１ａの表示画像が、前フレームの画像と異なったか否かの判定が行われる。表示部１０１の第１表示領域１０１ａの表示画像が、前フレームの画像と異なった場合、ステップＳＴ２１に移行し、表示部１０１の第１表示領域１０１ａの表示画像が、前フレームの画像と一致する場合、ステップＳＴ２３に移行する。
【００８１】
ステップＳＴ２１では、電子機器システム１００は、第１表示領域１０１ａの駆動周波数がｆ２となり、第２表示領域１０１ｂの駆動周波数がｆ１となるように動作する。つまり、ステップＳＴ２１では、第１表示領域１０１ａの表示画像が前フレームと異なり、かつ第２表示領域１０１ｂの表示画像が前フレームと一致する場合に、タイミングコントローラ１１３が、第１ドライバ１０２ａに駆動周波数がｆ２のタイミング信号を送信し、第２ドライバ１０２ｂに駆動周波数がｆ１のタイミング信号を送信する処理が行われる。
【００８２】
第１表示領域１０１ａの表示画像は前フレームと異なるため、駆動周波数を高くする必要がある。そのため、ステップＳＴ２１では、第２表示領域１０１ｂの駆動周波数をｆ１からｆ２まで上げることで、第１表示領域１０１ａの表示画像の書き換えを素早く行う。また、第２表示領域１０１ｂの表示画像は前フレームと一致するため、駆動周波数を低くすることができる。したがって、第２表示領域１０１ｂにおいて、単位時間あたりの表示画像を少なくすることができる。なお、ステップＳＴ２１では、第２表示領域１０１ｂの駆動周波数をｆ１としているが、場合によって、又は、状況に応じて、駆動周波数をｆ１よりも低くしてもよい。
【００８３】
ステップＳＴ２２は、ステップＳＴ１５において、第１表示領域１０１ａの画像と、第２表示領域１０１ｂの画像と、が一致する場合に移行するステップであり、ステップＳＴ２２では、ステップＳＴ５においてユーザが何らかの操作を行ったときに、表示部１０１の表示画像が、前フレームの画像と異なったか否かの判定が行われる。表示部１０１の表示画像が、前フレームの画像と異なった場合、ステップＳＴ２４に移行し、表示部１０１の表示画像が、前フレームの画像と一致する場合、ステップＳＴ２３に移行する。
【００８４】
ステップＳＴ２３では、電子機器システム１００は、第１表示領域１０１ａと、第２表示領域１０１ｂの駆動周波数がｆ１となるように動作する。つまり、ステップＳＴ２３では、第１表示領域１０１ａの表示画像と、第２表示領域１０１ｂの表示画像と、のそれぞれが、前フレームと一致する場合に、タイミングコントローラ１１３が、第１ドライバ１０２ａ及び第２ドライバ１０２ｂに、駆動周波数がｆ１のタイミング信号を送信する処理が行われる。
【００８５】
ステップＳＴ２４では、電子機器システム１００は、第１表示領域１０１ａと、第２表示領域１０１ｂの駆動周波数がｆ４となるように動作する。つまり、ステップＳＴ２４では、第１表示領域１０１ａの表示画像と、第２表示領域１０１ｂの表示画像と、のそれぞれが、前フレームと異なっていた場合に、タイミングコントローラ１１３が、第１ドライバ１０２ａ及び第２ドライバ１０２ｂに、駆動周波数がｆ４のタイミング信号を送信する処理が行われる。ｆ４は、ｆ１よりも高い駆動周波数であり、ステップＳＴ２４において、駆動周波数をｆ１からｆ４まで上げることによって、表示部１０１の表示画像の書き換えを素早く行うことができる。なお、駆動周波数ｆ４は、例えば、６０Ｈｚ以上であることが好ましく、また、１２０Ｈｚ以上であることがより好ましい。また、駆動周波数ｆ４は、駆動周波数ｆ２、ｆ３、ｆ４と等しくてもよいし、異なってもよい。
【００８６】
ステップＳＴ１８、ステップＳＴ１９、ステップＳＴ２１、ステップＳＴ２３、又はステップＳＴ２４が行われた後において、本動作は終了する。なお、電子機器システム１００の利用している途中で外光が変化した場合、ステップＳＴ２に移行して、再度外光の照度を取得する動作を行って、第１表示領域１０１ａ、第２表示領域１０１ｂの駆動周波数の更新を行ってもよい。また、電子機器システム１００の利用している途中で、ユーザが、新たに入力インターフェース１０４を用いて操作を行う場合、ステップＳＴ１４に移行して、第１表示領域１０１ａ、第２表示領域１０１ｂの駆動周波数の更新を行ってもよい。
【００８７】
また、上述の動作によって、第１表示領域１０１ａ、第２表示領域１０１ｂの少なくとも一方の駆動周波数がｆ１となる場合、又は、駆動周波数がｆ１よりも低くなる場合、第１表示領域１０１ａ、第２表示領域１０１ｂのそれぞれに備える第１表示素子、第２表示素子は、ＯＳトランジスタを有する構成であることが好ましい。特に、ＯＳトランジスタは、実施の形態５に示す金属酸化物をチャネル形成領域に有するトランジスタであることがより好ましい。ＯＳトランジスタは、オフ電流が非常に小さい特性を有するため、ＯＳトランジスタを第１表示素子、第２表示素子の選択トランジスタとすることによって、第１表示素子、第２表示素子のリーク電流による保持データの劣化を防ぐことができる。つまり、保持データのリフレッシュ回数を低減することができるため、第１表示領域１０１ａ、第２表示領域１０１ｂの駆動周波数を低くすることができ、本実施の形態の動作を容易に行うことができる。なお、駆動周波数を低くする駆動は、本明細書では、アイドリング・ストップ（ＩＤＳ）駆動と呼称し、アイドリング・ストップ（ＩＤＳ）については、実施の形態４で説明する。
【００８８】
上述の通り、表示画像と前フレームとを比較して、一致するか、又は異なるか、を判定し、その結果に応じて、第１表示領域、及び第２表示領域のそれぞれの駆動周波数を変更する構成にすることによって、第１表示領域、及び第２表示領域のそれぞれの書き換え回数を必要な回数まで少なくすることができる。このため、第１表示領域、及び第２表示領域を有する表示装置の消費電力を少なくすることができる。
【００８９】
また、本実施の形態は、本明細書で示す他の実施の形態と適宜組み合わせることができる。
【００９０】
（実施の形態２）
本実施の形態では、実施の形態１で説明した電子機器システム１００の動作例とは、別の動作例について、説明する。
【００９１】
実施の形態１で説明した例では、照度センサ１０５によって取得した照度によって、表示モードを第１モード乃至第３モードのいずれかを決定し、入力インターフェース１０４を介したユーザの操作をトリガーとして、第１表示領域、及び第２表示領域のそれぞれの駆動周波数を決定する動作となっているが、本発明の一態様は、これに限定されない。例えば、ユーザが選択したアプリケーションの種類によって、駆動周波数を可変する構成としてもよい。
【００９２】
図６（Ａ）、（Ｂ）は、電子機器システム１００において、起動したアプリケーションに応じて、駆動周波数を可変する動作例を示したフローチャートを示している。図６（Ａ）は、電子書籍アプリケーションを起動した動作例を示し、図６（Ｂ）は、動画アプリケーションを起動した動作例を示している。なお、電子書籍アプリケーション、及び動画アプリケーションは、第３モードで画像を表示する（第１表示領域と第２表示領域の両方で画像を表示する）ものとする。
【００９３】
初めに、電子書籍アプリケーションを起動した動作例（図６（Ａ））について説明する。
【００９４】
ステップＳＴ３１は、電子書籍アプリケーションを起動するステップである。電子書籍アプリケーションの起動は、ユーザが入力インターフェース１０４などを操作することによって行われる。この場合、入力インターフェース１０４からＣＰＵ１１５に電子書籍アプリケーションを起動する命令信号が送られ、ＣＰＵ１１５は、ホスト装置などの記憶装置（図示いない。）から該アプリケーションのプログラムを読み出して実行する。
【００９５】
ステップＳＴ３２では、電子書籍を表示部１０１に表示する動作が行われる。このとき、第１表示領域１０１ａには背景が表示され、第２表示領域１０１ｂには文字が表示される。このため、第１表示領域１０１ａの表示画像と、第２表示領域１０１ｂの表示画像と、は異なっている。このとき、電子機器システム１００において、ＣＰＵ１１５は、ホスト装置などの記憶装置（図示いない。）から電子書籍のデータを読み出して、表示コントローラ１１４に送信する。電子書籍のデータは、画像処理装置１１７と、フレームメモリ１１６と、を介して、第１ドライバ１０２ａ及び第２ドライバ１０２ｂドライバに送られる。また、第１ドライバ１０２ａと第２ドライバ１０２ｂには、それぞれタイミングコントローラ１１３から所定の駆動周波数のタイミング信号が送られるため、第１表示領域と第２表示領域はそれぞれ所定の駆動周波数で動作する。
【００９６】
第１表示領域１０１ａの表示画像と、第２表示領域１０１ｂの表示画像と、は異なっているため、第１表示領域１０１ａの駆動周波数と、第２表示領域１０１ｂの駆動周波数と、を異なる値にすることができる。そのため、ステップＳＴ３３では、電子機器システム１００は、第１表示領域１０１ａの駆動周波数がｆ６となり、第２表示領域１０１ｂの駆動周波数がｆ７となるように動作する。このとき、電子機器システム１００において、ＣＰＵ１１５は、表示コントローラ１１４からタイミングコントローラ１１３にビデオ同期信号を送信する命令をして、タイミングコントローラ１１３から第１ドライバ及び第２ドライバにそれぞれ駆動周波数ｆ６のタイミング信号及び駆動周波数ｆ７のタイミング信号を送るようにする。これにより、第１表示領域は、駆動周波数ｆ６で動作し、第２表示領域は、駆動周波数ｆ７で動作することができる。
【００９７】
特に、電子書籍アプリケーションの場合、背景は白であることが多いため、駆動周波数ｆ６を中間調表示のときより低くしてもフリッカーが起こりにくい場合がある。なお、駆動周波数ｆ６は、駆動周波数ｆ７と同じ値であってもよい。
【００９８】
次に、動画アプリケーションを起動した動作例（図６（Ｂ））について説明する。
【００９９】
ステップＳＴ４１は、動画アプリケーションを起動するステップである。動画アプリケーションの起動は、ユーザが入力インターフェース１０４などを操作することによって行われる。この場合、入力インターフェース１０４からＣＰＵ１１５に動画アプリケーションを起動する命令信号が送られ、ＣＰＵ１１５は、ホスト装置などの記憶装置（図示いない。）から該アプリケーションのプログラムを読み出して実行する。
【０１００】
ステップＳＴ４２では、動画を表示部１０１に表示する動作が行われる。このとき、第１表示領域１０１ａと、第２表示領域１０１ｂと、には同一の画像が表示される。このとき、電子機器システム１００において、ＣＰＵ１１５は、ホスト装置などの記憶装置（図示いない。）から動画データを読み出して、表示コントローラ１１４に送信する。動画データは、画像処理装置１１７と、フレームメモリ１１６と、を介して、第１ドライバ１０２ａ及び第２ドライバ１０２ｂドライバに送られる。また、第１ドライバ１０２ａと第２ドライバ１０２ｂには、それぞれタイミングコントローラ１１３から同一の駆動周波数のタイミング信号が送られるため、第１表示領域と第２表示領域はそれぞれ同一の駆動周波数で動作する。
【０１０１】
ステップＳＴ４３では、動画の内容に応じて駆動周波数を決定する動作が行われる。動画の内容とは、例えば、表示されている物体（人も含む。）が、速く動いているか否かなどである。このとき、前後のフレーム間における画素の位置の変化量を算出し、その変化量に応じて、第１表示領域１０１ａと、第２表示領域１０１ｂと、駆動周波数を決定すればよい。なお、この動作は、ＣＰＵ１１５が駆動周波数を決定する計算を行い、タイミングコントローラ１１３から該駆動周波数のタイミング信号を、第１ドライバ１０２ａ及び第２ドライバに送信することで実現できる。なお、第１表示領域１０１ａの表示画像と、第２表示領域１０１ｂの表示画像と、は同一であるため、第１表示領域１０１ａの駆動周波数と、第２表示領域１０１ｂの駆動周波数と、同じ値にすることが好ましい。
【０１０２】
本実施の形態では、電子書籍アプリケーションと、動画アプリケーションと、を例として説明したが、本発明の一態様は、これらのアプリケーションに限定されない。例えば、インターネットを通じてホームページを閲覧するブラウザのアプリケーション、電子メールのアプリケーション、又はＳＮＳ（Ｓｏｃｉａｌ  Ｎｅｔｗｏｒｋｉｎｇ  Ｓｅｒｖｉｃｅ）を利用したアプリケーションなども、本実施の形態で説明した、第１表示領域の駆動周波数及び／又は第２表示領域の駆動周波数の可変を、場合によって、又は状況に応じて、行うことができる。
【０１０３】
また、本実施の形態は、本明細書で示す他の実施の形態と適宜組み合わせることができる。
【０１０４】
（実施の形態３）
本実施の形態では、曲げて畳むことが可能なハイブリッド表示装置を適用した電子機器において、第１表示領域と、第２表示領域と、をそれぞれ異なる駆動周波数で表示を行う動作例について、説明する。
【０１０５】
初めに、曲げて畳むことが可能なハイブリッド表示装置を表示部として適用した電子機器の一例を図７（Ａ）、（Ｂ）、（Ｃ）に示す。
【０１０６】
＜電子機器の例＞
図７（Ａ）に示す電子機器９００は、筐体９０１ａ、筐体９０１ｂ、ヒンジ９０３、表示部９０２、照度センサ１０５等を有する。表示部９０２は筐体９０１及び筐体９０１ｂに、組み込まれている。
【０１０７】
筐体９０１ａと筐体９０１ｂとは、ヒンジ９０３で回転可能に連結されている。電子機器９００は、筐体９０１ａと筐体９０１ｂとが閉じた状態と、図７（Ａ）に示すように開いた状態と、に変形することができる。これにより、持ち運ぶ際には可搬性に優れ、使用するときには大きな表示領域により、視認性に優れる。
【０１０８】
また、ヒンジ９０３は、筐体９０１ａと筐体９０１ｂとを開いたときに、これらの角度が所定の角度よりも大きい角度にならないように、ロック機構を有することが好ましい。例えば、ロックがかかる（それ以上に開かない）角度は、９０度以上１８０度未満であることが好ましく、代表的には、９０度、１２０度、１３５度、または１５０度、１７５度などとすることができる。これにより、利便性、安全性、及び信頼性を高めることができる。
【０１０９】
表示部９０２は、タッチパネルとして機能し、指やスタイラスなどにより操作することができる。
【０１１０】
筐体９０１ａまたは筐体９０１ｂのいずれか一には、無線通信モジュールが設けられ、インターネットやＬＡＮ（Ｌｏｃａｌ  Ａｒｅａ  Ｎｅｔｗｏｒｋ）、Ｗｉ−Ｆｉ（Ｗｉｒｅｌｅｓｓ  Ｆｉｄｅｌｉｔｙ：登録商標）などのコンピュータネットワークを介して、データを送受信することが可能である。
【０１１１】
表示部９０２には、一つのフレキシブルディスプレイで構成されていることが好ましい。これにより、筐体９０１ａと筐体９０１ｂの間で途切れることのない連続した表示を行うことができる。なお、筐体９０１ａと筐体９０１ｂのそれぞれに、ディスプレイが設けられる構成としてもよい。
【０１１２】
照度センサ１０５については、実施の形態１の説明を参酌する。なお、照度センサ１０５を設ける箇所は、図７（Ａ）、（Ｂ）、（Ｃ）に示す図に限定しない。例えば、表示部９０２を囲むように周辺部に設けてもよい（図示しない。）。また、例えば、表示部９０２の内部に設けてもよい（図示しない。）。
【０１１３】
図７（Ｂ）には、携帯型のゲーム機として機能する電子機器９１０を示している。電子機器９１０は、筐体９１１ａ、筐体９１１ｂ、表示部９１２、ヒンジ９１３、操作ボタン９１４ａ、操作ボタン９１４ｂ等を有する。
【０１１４】
また、筐体９１１ｂには、カートリッジ９１５を挿入することができる。カートリッジ９１５は、例えばゲームなどのアプリケーションソフトが記憶されており、カートリッジ９１５を交換することにより、電子機器９１０で様々なアプリケーションを実行することができる。
【０１１５】
また、図７（Ｂ）では、表示部９１２の筐体９１１ａと重なる部分のサイズと、筐体９１１ｂと重なる部分のサイズが、それぞれ異なる例を示している。具体的には、操作ボタン９１４ａ及び操作ボタン９１４ｂの設けられる筐体９１１ｂと重なる表示部９１２の一部よりも、筐体９１１ａに設けられる表示部９１２の一部が大きい。例えば、表示部９１２の筐体９１１ａ側に主画面となる表示を行い、筐体９１１ｂ側には操作画面となる表示を行うなど、それぞれの表示部を使い分けることができる。
【０１１６】
図７（Ｃ）に示す電子機器９２０は、ヒンジ９２３により連結された筐体９２１ａと筐体９２１ｂに亘って、フレキシブルな表示部９２２が設けられている。
【０１１７】
図７（Ｃ）では、筐体９２１ａと筐体９２１ｂとを開いたときに、表示部９２２が大きく湾曲した形態で保持されている。例えば、曲率半径を１ｍｍ以上５０ｍｍ以下、好ましくは５ｍｍ以上３０ｍｍ以下の状態で、表示部９２２が保持された状態とすることができる。表示部９２２の一部は、筐体９２１ａから筐体９２１ｂにかけて、連続的に画素が配置され、曲面状の表示を行うことができる。
【０１１８】
ヒンジ９２３は、上述したロック機構を有しているため、表示部９２２に無理な力がかかることなく、表示部９２２が破損することを防ぐことができる。そのため、信頼性の高い電子機器を実現できる。
【０１１９】
＜電子機器の動作例＞
次に、上述した電子機器の動作例について、説明する。なお、電子機器の内部の構成は、図１、図２に示す電子機器システム１００の構成と同様とする。
【０１２０】
図８は、電子機器９００で、アプリケーションを実行した様子を示している。アプリケーションの起動は、例えば、ユーザが表示部９０２に備えるタッチパネル（入力インターフェース１０４に相当する。）を操作することによって行う構成とする。この場合、入力インターフェース１０４からＣＰＵ１１５にアプリケーションを起動する命令信号が送られ、ＣＰＵ１１５は、ホスト装置などの記憶装置（図示いない。）から該アプリケーションのプログラムを読み出して実行する。なお、図８には、一例として、料理のレシピを表示するアプリケーションを示している。
【０１２１】
図８（Ａ）は、電子機器９００の表示部９０２（表示部１０１に相当する。）の筐体９０１ａ側（以下、表示部９０２ａと記載する。）に画像を表示し、表示部９０２の筐体９０１ｂ側（以下、表示部９０２ｂと記載する。）に文字を表示している様子を示している。具体的には、表示部９０２ａには、材料、道具、又は料理を作っている様子などを画像（映像を含む。）として表示しており、表示部９０２ｂには、材料、道具、料理の手順などが記載された文章を表示している。
【０１２２】
次に、図８（Ａ）に示した電子機器９００の画像の表示方法について、説明する。
【０１２３】
図８（Ｂ）は、表示部９０２の第１表示領域１０１ａで表示している画像を示している。第１表示領域１０１ａは、先の実施の形態で説明したとおり、第１表示素子、すなわち反射型素子によって画像を表示する。電子機器９００は、表示部９０２の第１表示領域１０１ａにおいて、表示部９０２ａには何も表示せず（黒を表示し）、表示部９０２ｂには材料、道具、料理の手順などが記載された文章を表示する。
【０１２４】
このとき、電子機器システム１００では、起動したアプリケーションのプログラムに基づいて、ＣＰＵ１１５は、表示コントローラ１１４と、画像処理装置１１７と、フレームメモリ１１６と、を介して、第１ドライバ１０２ａのソースドライバ１１１ａに画像データを送信している。また同時に、タイミングコントローラ１１３は、表示コントローラ１１４から送られてきたビデオ同期信号に基づく駆動周波数のタイミング信号を第１ドライバ１０２ａのソースドライバ１１１ａとゲートドライバ１１２ａに送信している。
【０１２５】
図８（Ｃ）は、表示部９０２の第２表示領域１０１ｂで表示している画像を示している。第２表示領域１０１ｂは、先の実施の形態で説明したとおり、第２表示素子、すなわち自発光型素子によって画像を表示する。電子機器９００は、表示部９０２の第２表示領域１０１ｂにおいて、表示部９０２ａには材料、道具、又は料理を作っている様子などの画像を表示し、表示部９０２ｂには何も表示しない（黒を表示する）。
【０１２６】
このとき、電子機器システム１００では、起動したアプリケーションのプログラムに基づいて、ＣＰＵ１１５は、表示コントローラ１１４と、画像処理装置１１７と、フレームメモリ１１６と、を介して、第２ドライバ１０２ｂのソースドライバ１１１ｂに画像データを送信している。また同時に、タイミングコントローラ１１３は、表示コントローラ１１４から送られてきたビデオ同期信号に基づく駆動周波数のタイミング信号を第２ドライバ１０２ｂのソースドライバ１１１ｂとゲートドライバ１１２ｂに送信している。
【０１２７】
ハイブリッド表示装置の表示部９０２は、第１表示領域１０１ａと、第２表示領域１０１ｂと、を、有するため、第１表示領域１０１ａと、第２表示領域１０１ｂと、のそれぞれを独立に映像を表示することができる。第１表示領域１０１ａで図８（Ｂ）の画像を表示し、第２表示領域１０１ｂで図８（Ｃ）の画像を表示することによって、図８（Ａ）に示した画像を表示することができる。つまり、表示部９０２ａでは、第２モードで駆動し、表示部９０２ｂでは、第１モードで駆動する構成となっている（表示部９０２全体で考えれば第３モードで駆動する構成となっている）。
【０１２８】
ここで、第１表示領域１０１ａの駆動周波数と、第２表示領域１０１ｂの駆動周波数と、を可変して、電子機器９００を動作する例について説明する。第１表示領域１０１ａと、第２表示領域１０１ｂと、は、それぞれ独立に映像を表示することができるため、第１表示領域１０１ａの駆動周波数と、第２表示領域１０１ｂの駆動周波数と、を独立に設定することができる。
【０１２９】
例えば、第１表示領域１０１ａに、図８（Ｂ）のように、文章などの静止画のみを表示している場合、駆動周波数を動画ほど高くする必要は無い。つまり、第１表示領域１０１ａの第１表示素子の駆動周波数を低くすることができる。また、例えば、第２表示領域１０１ｂに表示しているのが、動画ではなく写真などの静止画である場合も、同様に第２表示素子の駆動周波数を低くすることができる。
【０１３０】
この場合、電子機器システム１００では、ＣＰＵ１１５は、表示コントローラ１１４に、第１表示領域１０１ａの駆動周波数を低くするための制御信号を送信する。該制御信号を受けた表示コントローラ１１４は、該制御信号に基づくビデオ同期信号をタイミングコントローラ１１３に送信する。タイミングコントローラ１１３は、該ビデオ同期信号を受けることによって、駆動周波数を低くしたタイミング信号を第１ドライバ１０２ａのソースドライバ１１１ａとゲートドライバ１１２ａに送信する。上述の動作によって、第１表示領域の駆動周波数を低くすることができる。
【０１３１】
ここで、第１表示領域１０１ａに文章などの静止画を表示し、第２表示領域１０１ｂに映像などの動画を表示する場合を考える。この場合、第１表示領域１０１ａの第１表示素子は、低い駆動周波数、例えば、６０Ｈｚ未満の駆動周波数で動作するのが好ましく、かつ第２表示領域１０１ｂの第２表示素子は、高い駆動周波数、例えば、６０Ｈｚ以上の駆動周波数で動作するのが好ましい。
【０１３２】
この場合、電子機器システム１００では、上述の第１表示領域の駆動周波数を低くする動作に加え、第２表示領域の駆動周波数を高くする動作が行われる。
【０１３３】
第２表示領域の駆動周波数を高くする動作は、初めに、ＣＰＵ１１５が表示コントローラ１１４に第２表示領域１０１ｂの駆動周波数を高くするための制御信号を送信して、表示コントローラ１１４は該制御信号に基づくビデオ同期信号をタイミングコントローラ１１３に送信する。次に、該ビデオ同期信号を受信したタイミングコントローラ１１３は、駆動周波数を高くしたタイミング信号を第２ドライバ１０２ｂのソースドライバ１１１ｂとゲートドライバ１１２ｂに送信する。これらの動作によって、第２表示領域の駆動周波数を高くすることができる。
【０１３４】
このように、曲げて畳む事で表示部を２つに分けることができる電子機器において、それぞれの表示部に表示する画像に合わせて、第１表示領域１０１ａ、及び第２表示領域１０１ｂのそれぞれの駆動周波数を変更できる構成にすることによって、第１表示領域１０１ａ、及び第２表示領域１０１ｂのそれぞれの書き換え回数を必要な回数まで少なくすることができる。このため、電子機器の消費電力を少なくすることができる。
【０１３５】
また、本発明の一態様は、上述の動作例に限定せず、場合によって、又は状況に応じて、第１表示領域１０１ａ、第２表示領域１０１ｂの少なくとも一方の表示の設定を変更してもよい。例えば、電子機器９００は、第１表示領域１０１ａにおいて、表示部９０２ａに画像（映像を含む）を表示し、表示部９０２ｂに文章などの静止画を表示し、第２表示領域１０１ｂにおいて、表示部９０２ａに画像（映像を含む）を表示し、表示部９０２ｂには何も表示しない（黒を表示する）動作としてもよい。つまり、表示部９０２ａでは、第３モードで駆動し、表示部９０２ｂでは、第１モードで駆動する動作となっている。この動作は、表示部９０２ａの画像を鮮明に観たい場合に適している。特に、表示部９０２ａに表示する画像が映像である場合、第１表示領域１０１ａ、第２表示領域１０１ｂのそれぞれの駆動周波数を等しくするのが好ましく、また、それぞれの駆動周波数を６０Ｈｚ以上にするのがより好ましい。
【０１３６】
また、例えば、電子機器９００は、表示部９０２全体で、別の実施の形態４で説明している、第１モード乃至第３モードのいずれか一で駆動する動作としてもよい。第１モード乃至第３モードのいずれか一で駆動することによって、外光環境の明るさに問わず、電子機器９００の表示を快適に観ることができる。
【０１３７】
また、本動作例では、料理のレシピを表示するアプリケーションを例として、説明したが、本発明の一態様は、これに限定されない。例えば、電子機器９００、９１０、９２０で動作するアプリケーションは、料理の方法ではなく、玩具の組み立て方、家具の組み立て方、物の作製手順などを表示するアプリケーションとしてもよい。また、例えば、電子機器９００、９１０、９２０で動作するアプリケーションは、第１表示領域１０１ａにおいて、第１表示部９０２ａに、機械、又は装置の手順書を表示し、第２表示領域１０１ｂにおいて、第１表示部９０２ｂに、機械、又は装置の取り扱いの様子を表示する、機械、又は装置の説明書を説明するアプリケーションとしてもよい。
【０１３８】
また、前述では、電子機器９００を例として説明したが、電子機器９１０、電子機器９２０、または、別の実施の形態で述べる電子機器についても適用することができる。
【０１３９】
また、本実施の形態は、本明細書で示す他の実施の形態と適宜組み合わせることができる。
【０１４０】
（実施の形態４）
本実施の形態では、上記の表示部１０１に用いることのできる表示装置について、図９乃至図１３を用いて説明する。本実施の形態の表示装置は、可視光を反射する第１表示素子と、可視光を発する第２表示素子とを有する。
【０１４１】
例えば、表示部１０１が有する第１表示領域１０１ａは、マトリクス状に第１表示素子を有し、第２表示領域１０１ｂは、マトリクス状に第２表示素子を有する。
【０１４２】
本実施の形態の表示装置は、第１表示素子によって反射する光と、第２表示素子が発する光のうち、いずれか一方または双方により、画像を表示する機能を有する。
【０１４３】
第１表示素子には、外光を反射して表示する素子を用いることができる。このような素子は光源を持たないため、表示の際の消費電力を極めて小さくすることが可能となる。
【０１４４】
第１表示素子には、代表的には反射型の液晶素子を用いることができる。または、第１表示素子として、シャッター方式のＭＥＭＳ（Ｍｉｃｒｏ  Ｅｌｅｃｔｒｏ  Ｍｅｃｈａｎｉｃａｌ  Ｓｙｓｔｅｍ）素子、光干渉方式のＭＥＭＳ素子の他、マイクロカプセル方式、電気泳動方式、エレクトロウェッティング方式等を適用した素子などを用いることができる。
【０１４５】
第２表示素子には、発光素子を用いることが好ましい。このような表示素子が発する光は、その輝度や色度が外光に左右されることが少ないため、色再現性が高く（色域が広く）、コントラストの高い、鮮やかな表示を行うことができる。
【０１４６】
第２表示素子には、例えばＯＬＥＤ（Ｏｒｇａｎｉｃ  Ｌｉｇｈｔ  Ｅｍｉｔｔｉｎｇ  Ｄｉｏｄｅ）、ＬＥＤ（Ｌｉｇｈｔ  Ｅｍｉｔｔｉｎｇ  Ｄｉｏｄｅ）、ＱＬＥＤ（Ｑｕａｎｔｕｍ−ｄｏｔ  Ｌｉｇｈｔ  Ｅｍｉｔｔｉｎｇ  Ｄｉｏｄｅ）、半導体レーザなどの自発光性の発光素子を用いることができる。なお、第２表示素子には、自発光性の発光素子を用いることが好ましいが、これに限定されず、例えば、バックライト、またはサイドライトなどの光源と、液晶素子とを組み合わせた透過型の液晶素子を用いてもよい。
【０１４７】
本実施の形態の表示装置は、第１表示素子を用いて画像を表示する第１モードと、第２表示素子を用いて画像を表示する第２モードと、第１表示素子及び第２表示素子の双方を用いて画像を表示する第３モードと、を有し、第１乃至第３モードを自動または手動で切り替えることができる。以下では、第１乃至第３モードの詳細について説明する。
【０１４８】
［第１モード］
第１モードでは、第１表示素子と外光とを用いて画像を表示する。第１モードは光源が不要であるため、極めて低消費電力なモードである。例えば、表示装置に外光が十分に入射されるとき（明るい環境下など）は、第１表示素子が反射した光を用いて表示を行うことができる。例えば、外光が十分に強く、かつ外光が白色光またはその近傍の光である場合に有効である。第１モードは、文字を表示することに適したモードである。また、第１モードは、外光を反射した光を用いるため、目に優しい表示を行うことができ、目が疲れにくいという効果を奏する。なお、第１モードを、反射した光を用いて表示を行うため、反射型の表示モード（Ｒｅｆｌｅｃｔｉｏｎ  ｍｏｄｅ）と呼称してもよい。
【０１４９】
［第２モード］
第２モードでは、第２表示素子による発光を利用して画像を表示する。そのため、照度や外光の色度によらず、極めて鮮やかな（コントラストが高く、且つ色再現性の高い）表示を行うことができる。例えば、夜間や暗い室内など、照度が極めて低い場合などに有効である。また、周囲が暗い場合、明るい表示を行うと使用者が眩しく感じてしまう場合がある。これを防ぐために、第２モードでは輝度を抑えた表示を行うことが好ましい。これにより、眩しさを抑えることに加え、消費電力も低減することができる。第２モードは、鮮やかな画像（静止画及び動画）などを表示することに適したモードである。なお、第２モードを、発光、すなわち放射した光を用いて表示を行うため、放射型の表示モード（Ｅｍｉｓｓｉｏｎ  ｍｏｄｅ）と呼称してもよい。
【０１５０】
［第３モード］
第３モードでは、第１表示素子による反射光と、第２表示素子による発光との双方を利用して表示を行う。なお、第１表示素子と第２表示素子とを、それぞれ独立に駆動させ、且つ第１表示素子と第２表示素子とを、同一期間内で駆動させることで、第１表示素子と、第２表示素子とを組み合わせた表示を行うことができる。なお、本明細書等において、第１表示素子と、第２表示素子とを組み合わせた表示、すなわち、第３モードをハイブリッド表示モード（ＨＢ表示モード）と呼称することができる。または、第３モードを、放射型の表示モードと、反射型の表示モードとを組み合わせた表示モード（ＥＲ−Ｈｙｂｒｉｄ  ｍｏｄｅ）と呼称してもよい。
【０１５１】
第３モードで表示を行うことで、第１モードよりも鮮やかな表示とし、且つ第２モードよりも消費電力を抑えることができる。例えば、室内照明下や、朝方や夕方の時間帯など、比較的照度が低い場合、外光の色度が白色ではない場合などに有効である。また、反射光と発光とを混合させた光を用いることで、まるで絵画を見ているかのように感じさせる画像を表示することが可能となる。
【０１５２】
本発明の一態様は、先に説明した実施の形態のとおり、第１表示素子で字幕を表示し、第２表示素子で画像の表示を行う。このため、画像と字幕と、の両方を表示したい場合は、上述の第３モードで表示装置を動かす。
【０１５３】
また、字幕を表示しない場合は、第２表示素子で画像の表示を行えばよいので、上述の第２モードで表示装置を動かせばよい。なお、照度が明るい場合は、第１表示素子で画像の表示を行ってもよいので、第２モードではなく、第１モードで表示装置を動かしてもよい。
【０１５４】
＜第１乃至第３モードの具体例＞
ここで、上述した第１乃至第３モードを用いる場合の具体例について、図９及び図１０を用いて説明する。
【０１５５】
なお、以下では、第１乃至第３モードが照度に応じて自動に切り替わる場合について説明する。なお、照度に応じて自動で切り替わる場合、例えば、表示装置に照度センサ等を設け、当該照度センサからの情報をもとに表示モードを切り替えることができる。
【０１５６】
図９（Ａ）、（Ｂ）、（Ｃ）は、本実施の形態の表示装置が取り得る表示モードを説明するための画素の模式図である。
【０１５７】
図９（Ａ）、（Ｂ）、（Ｃ）では、第１表示素子２０１、第２表示素子２０２、開口部２０３、第１表示素子２０１から反射される反射光２０４、及び第２表示素子２０２から開口部２０３を通って射出される透過光２０５が明示されている。なお、図９（Ａ）が第１モードを説明する図であり、図９（Ｂ）が第２モードを説明する図であり、図９（Ｃ）が第３モードを説明する図である。
【０１５８】
なお、図９（Ａ）、（Ｂ）、（Ｃ）では、第１表示素子２０１として、反射型の液晶素子を用い、第２表示素子２０２として、自発光型のＯＬＥＤを用いる場合とする。
【０１５９】
図９（Ａ）に示す第１モードでは、第１表示素子２０１である、反射型の液晶素子を駆動して反射光の強度を調節して階調表示を行うことができる。例えば、図９（Ａ）に示すように、第１表示素子２０１である、反射型の液晶素子が有する反射電極で、反射光２０４の強度を液晶層で調節することで階調表示を行うことができる。
【０１６０】
図９（Ｂ）に示す第２モードでは、第２表示素子２０２である、自発光型のＯＬＥＤの発光強度を調節して階調表示を行うことができる。なお、第２表示素子２０２から射出される光は、開口部２０３を通過し、透過光２０５として外部に取り出される。
【０１６１】
図９（Ｃ）に示す第３モードは、上述した第１モードと、第２モードとを組み合わせた表示モードである。例えば、図９（Ｃ）に示す第１表示素子２０１である、反射型の液晶素子と、第２表示素子２０２である、自発光型のＯＬＥＤと例えば、第１表示素子２０１である、反射型の液晶素子が有する反射電極で、反射光２０４の強度を液晶層で調節し階調表示を行う。また、第１表示素子２０１の駆動する期間と、同じ期間内に、第２表示素子２０２である、自発光型のＯＬＥＤの発光強度、ここでは透過光２０５の強度を調整し階調表示を行う。
【０１６２】
＜第１乃至第３モードの状態遷移＞
次に、第１乃至第３モードの状態遷移について、図９（Ｄ）を用いて説明を行う。図９（Ｄ）は、第１モード、第２モード、及び第３モードの状態遷移図である。図９（Ｄ）に示す、状態Ｃ１は第１モードに相当し、状態Ｃ２は第２モードに相当し、状態Ｃ３は第３モードに相当する。
【０１６３】
図９（Ｄ）に図示するように、状態Ｃ１から状態Ｃ３までは照度に応じていずれかの状態の表示モードを取り得る。例えば、昼間のように照度が大きい場合には、状態Ｃ１を取り得る。また、昼間から夜間に時間経過して照度が小さくなる場合には、状態Ｃ１から状態Ｃ２に遷移する。また、昼間であっても照度が低く、反射光による階調表示が十分でない場合には、状態Ｃ２から状態Ｃ３に遷移する。もちろん、状態Ｃ３から状態Ｃ１への遷移、状態Ｃ１から状態Ｃ３への遷移、状態Ｃ３から状態Ｃ２への遷移、または状態Ｃ２から状態Ｃ１への遷移も生じる。
【０１６４】
なお、図９（Ｄ）に図示するように、状態Ｃ１乃至状態Ｃ３において、照度の変化がない、または照度の変化が少ない場合には、他の状態に遷移せずに、続けて元の状態を維持すればよい。
【０１６５】
以上のように照度に応じて表示モードを切り替える構成とすることで、消費電力が比較的大きい発光素子の光の強度による階調表示の頻度を減らすことができる。そのため、表示装置の消費電力を低減することができる。また、表示装置は、バッテリの残容量、表示するコンテンツ、または周辺環境の照度に応じて、さらに動作モードを切り替えることができる。なお、上記の説明においては、照度に応じて表示モードが自動で切り替わる場合について例示したがこれに限定されず、使用者が手動で表示モードを切り替えてもよい。
【０１６６】
＜動作モード＞
次に、第１表示素子、及び第２表示素子で行うことができる動作モードについて、図１０を用いて説明を行う。
【０１６７】
なお、以下では、通常のフレーム周波数（代表的には６０Ｈｚ以上２４０Ｈｚ以下）で動作する通常動作モード（Ｎｏｒｍａｌ  ｍｏｄｅ）と、低速のフレーム周波数で動作するアイドリング・ストップ（ＩＤＳ）駆動モードと、を例示して説明する。
【０１６８】
なお、アイドリング・ストップ（ＩＤＳ）駆動モードとは、画像データの書き込み処理を実行した後、画像データの書き換えを停止する駆動方法のことをいう。一旦画像データの書き込みをして、その後、次の画像データの書き込みまでの間隔を延ばすことで、その間の画像データの書き込みに要する分の消費電力を削減することができる。アイドリング・ストップ（ＩＤＳ）駆動モードは、例えば、通常動作モードの１／１００乃至１／１０程度のフレーム周波数とすることができる。
【０１６９】
図１０（Ａ）、（Ｂ）、（Ｃ）は、通常駆動モードとアイドリング・ストップ（ＩＤＳ）駆動モードを説明する回路図及びタイミングチャートである。なお、図１０（Ａ）では、第１表示素子２０１（ここでは液晶素子）と、第１表示素子２０１に電気的に接続されている画素回路２０６と、を明示している。また、図１０（Ａ）に示す画素回路２０６では、信号線ＳＬと、ゲート線ＧＬと、信号線ＳＬ及びゲート線ＧＬに接続されたトランジスタＭ１と、トランジスタＭ１に接続される容量素子ＣｓＬＣとを図示している。
【０１７０】
トランジスタＭ１としては、半導体層に金属酸化物を有するトランジスタを用いることが好ましい。以下、トランジスタの代表例として、金属酸化物の分類の１つである酸化物半導体を有するトランジスタ（ＯＳトランジスタ）を用いて説明する。ＯＳトランジスタは、非導通状態時のリーク電流（オフ電流）が極めて低いため、ＯＳトランジスタを非導通状態とすることで液晶素子の画素電極に電荷の保持をすることができる。
【０１７１】
図１０（Ｂ）は、通常駆動モードでの信号線ＳＬおよびゲート線ＧＬにそれぞれ与える信号の波形を示すタイミングチャートである。通常駆動モードでは通常のフレーム周波数（例えば６０Ｈｚ）で動作する。１フレーム期間を期間Ｔ１からＴ３までで表すと、各フレーム期間でゲート線ＧＬに走査信号を与え、信号線ＳＬからデータＤ１を書き込む動作を行う。この動作は、期間Ｔ１乃至期間Ｔ３に同じデータＤ１を書き込む場合、または異なるデータを書き込む場合でも同じである。
【０１７２】
一方、図１０（Ｃ）は、アイドリング・ストップ（ＩＤＳ）駆動モードでの信号線ＳＬおよびゲート線ＧＬに、それぞれ与える信号の波形を示すタイミングチャートである。アイドリング・ストップ（ＩＤＳ）駆動では低速のフレーム周波数（例えば１Ｈｚ）で動作する。１フレーム期間を期間Ｔ１で表し、その中でデータの書き込み期間を期間ＴＷ、データの保持期間を期間ＴＲＥＴで表す。アイドリング・ストップ（ＩＤＳ）駆動モードは、期間ＴＷでゲート線ＧＬに走査信号を与え、信号線ＳＬのデータＤ１を書き込み、期間ＴＲＥＴでゲート線ＧＬをローレベルの電圧に固定し、トランジスタＭ１を非導通状態として一旦書き込んだデータＤ１を保持させる動作を行う。
【０１７３】
なお、アイドリング・ストップ（ＩＤＳ）駆動は、第２表示素子でも行うことができる場合がある。
【０１７４】
図１０（Ｄ）は、第２表示素子２０２（ここでは有機ＥＬ素子）と、第２表示素子に電気的に接続されている画素回路２０７と、を明示している。また、図１０（Ｄ）に示す画素回路２０７では、信号線ＤＬと、ゲート線ＧＬ２と、電流供給線ＡＬと、信号線ＤＬ及びゲート線ＧＬ２に電気的に接続されたトランジスタＭ２と、トランジスタＭ２と電流供給線ＡＬとに電気的に接続された容量素子ＣｓＥＬと、トランジスタＭ２と容量素子ＣｓＥＬと電流供給線ＡＬと第２表示素子２０２とに電気的に接続されたトランジスタＭ３と、を図示している。
【０１７５】
トランジスタＭ２としては、トランジスタＭ１と同様に、ＯＳトランジスタを用いることが好ましい。ＯＳトランジスタは、非導通状態時のリーク電流（オフ電流）が極めて低いため、ＯＳトランジスタを非導通状態とすることで容量素子ＣｓＥＬに充電した電荷の保持をすることができる。つまり、トランジスタＭ３のゲート−ドレイン間電圧を一定に保つことでき、第２表示素子２０２の発光強度を一定にすることができる。
【０１７６】
したがって、第１表示素子がアイドリング・ストップ（ＩＤＳ）駆動する場合と同様に、第２表示素子のアイドリング・ストップ（ＩＤＳ）駆動は、ゲート線ＧＬ２に走査信号を与えて、信号線ＤＬからデータを書き込んだ後に、ゲート線ＧＬ２にローレベルの電圧に固定することで、トランジスタＭ２を非導通状態として一旦書き込んだ該データを保持する動作を行う。
【０１７７】
なお、トランジスタＭ３は、トランジスタＭ２と同様の材料で構成するのが好ましい。トランジスタＭ３とトランジスタＭ２の材料の構成を同じすることで、画素回路２０７の作製工程を短縮することができる。
【０１７８】
アイドリング・ストップ（ＩＤＳ）駆動モードは、上述した第１モード乃至第３モードと組み合わせることで、さらなる低消費電力化を図ることができるため有効である。
【０１７９】
以上のように、本実施の形態の表示装置は、第１モード乃至第３モードを切り替えて表示を行うことができる。したがって、周囲の明るさによらず、視認性が高く利便性の高い表示装置または全天候型の表示装置を実現できる。
【０１８０】
また、本実施の形態の表示装置は、第１表示素子を有する第１の画素と、第２表示素子を有する第２の画素とをそれぞれ複数有すると好ましい。また、第１の画素と第２の画素とは、それぞれ、マトリクス状に配置されることが好ましい。
【０１８１】
第１の画素及び第２の画素は、それぞれ、１つ以上の副画素を有する構成とすることができる。例えば、画素には、副画素を１つ有する構成（白色（Ｗ）など）、副画素を３つ有する構成（赤色（Ｒ）、緑色（Ｇ）、及び青色（Ｂ）の３色など）、あるいは、副画素を４つ有する構成（赤色（Ｒ）、緑色（Ｇ）、青色（Ｂ）、白色（Ｗ）の４色、または、赤色（Ｒ）、緑色（Ｇ）、青色（Ｂ）、黄色（Ｙ）の４色など）を適用できる。なお、第１の画素及び第２の画素が有する色要素は、上記に限定されず、必要に応じて、シアン（Ｃ）及びマゼンタ（Ｍ）などを組み合わせてもよい。
【０１８２】
本実施の形態の表示装置は、第１の画素及び第２の画素は、双方とも、フルカラー表示を行う構成とすることができる。または、本実施の形態の表示装置は、第１の画素では白黒表示またはグレースケールでの表示を行い、第２の画素ではフルカラー表示を行う構成とすることができる。第１の画素を用いた白黒表示またはグレースケールでの表示は、文書情報など、カラー表示を必要としない情報を表示することに適している。
【０１８３】
＜表示装置の斜視概略図＞
次に、本実施の形態の表示装置について、図１１を用いて説明を行う。図１１は、表示装置２１０の斜視概略図である。
【０１８４】
表示装置２１０は、基板２５７０と基板２７７０とが貼り合わされた構成を有する。図１１では、基板２７７０を破線で明示している。
【０１８５】
表示装置２１０は、表示部２１４、回路２１６、配線２１８等を有する。図１１では表示装置２１０にＩＣ２２０及びＦＰＣ２２２が実装されている例を示している。そのため、図１１に示す構成は、表示装置２１０、ＩＣ２２０、及びＦＰＣ２２２を有する表示モジュールということもできる。
【０１８６】
回路２１６としては、例えば走査線駆動回路を用いることができる。
【０１８７】
配線２１８は、表示部２１４及び回路２１６に信号及び電力を供給する機能を有する。当該信号及び電力は、ＦＰＣ２２２を介して外部から、またはＩＣ２２０から配線２１８に入力される。
【０１８８】
図１１では、ＣＯＧ（Ｃｈｉｐ  Ｏｎ  Ｇｌａｓｓ）方式またはＣＯＦ（Ｃｈｉｐ  ｏｎ  Ｆｉｌｍ）方式等により、基板２５７０にＩＣ２２０が設けられている例を示す。ＩＣ２２０は、例えば走査線駆動回路または信号線駆動回路などを有するＩＣを適用できる。なお、表示装置２１０には、ＩＣ２２０を設けない構成としてもよい。また、ＩＣ２２０を、ＣＯＦ方式等により、ＦＰＣに実装してもよい。
【０１８９】
図１１には、表示部２１４の一部の拡大図を示している。表示部２１４には、複数の表示素子が有する電極２７５１がマトリクス状に配置されている。電極２７５１は、可視光を反射する機能を有し、液晶素子として、第１表示素子２７５０（後述する）の反射電極として機能する。
【０１９０】
また、図１１に示すように、電極２７５１は開口部として領域２７５１Ｈを有する。さらに表示部２１４は、電極２７５１よりも基板２５７０側に、発光素子として、第２表示素子２５５０を有する。第２表示素子２５５０からの光は、電極２７５１の領域２７５１Ｈを介して基板２７７０側に射出される。第２表示素子２５５０の発光領域の面積と領域２７５１Ｈの面積とは等しくてもよい。第２表示素子２５５０の発光領域の面積と領域２７５１Ｈの面積のうち一方が他方よりも大きいと、位置ずれに対するマージンが大きくなるため好ましい。
【０１９１】
＜入出力パネルの断面図＞
次に、図１１で示した表示装置２１０に、タッチセンサユニットを設けた入出力パネルの構成を、図１２及び図１３を参照しながら説明する。
【０１９２】
図１２は、入出力パネル２７００ＴＰ３が備える画素の断面図である。
【０１９３】
図１３は、本発明の一態様の入出力パネルの構成を説明する図である。図１３（Ａ）は図１２に示す入出力パネルの機能膜の構成を説明する断面図であり、図１３（Ｂ）は入力ユニットの構成を説明する断面図であり、図１３（Ｃ）は第２のユニットの構成を説明する断面図であり、図１３（Ｄ）は第１のユニットの構成を説明する断面図である。
【０１９４】
本構成例で説明する入出力パネル２７００ＴＰ３は、画素２７０２（ｉ，ｊ）を有する（図１２参照）。また、入出力パネル２７００ＴＰ３は、第１のユニット２０１０と、第２のユニット２０２０と、入力ユニット２０３０と、機能膜２７７０Ｐと、を有する（図１３参照）。第１のユニット２０１０は機能層２５２０を含み、第２のユニット２０２０は機能層２７２０を含む。
【０１９５】
＜＜画素２７０２（ｉ，ｊ）＞＞
画素２７０２（ｉ，ｊ）は、機能層２５２０の一部と、第１表示素子２７５０（ｉ，ｊ）と、第２表示素子２５５０（ｉ，ｊ）と、を有する（図１２参照）。
【０１９６】
機能層２５２０は、第１の導電膜、第２の導電膜、絶縁膜２５０１Ｃおよび画素回路を含む。なお、画素回路は、例えば、トランジスタＭを含む。また、機能層２５２０は、光学素子２５６０、被覆膜２５６５およびレンズ２５８０を含む。また、機能層２５２０は、絶縁膜２５２８および絶縁膜２５２１を備える。絶縁膜２５２１Ａおよび絶縁膜２５２１Ｂを積層した材料を、絶縁膜２５２１に用いることができる。
【０１９７】
例えば、屈折率１．５５近傍の材料を絶縁膜２５２１Ａまたは絶縁膜２５２１Ｂに用いることができる。または、屈折率１．６近傍の材料を絶縁膜２５２１Ａまたは絶縁膜２５２１Ｂに用いることができる。または、アクリル樹脂またはポリイミドを絶縁膜２５２１Ａまたは絶縁膜２５２１Ｂに用いることができる。
【０１９８】
絶縁膜２５０１Ｃは、第１の導電膜および第２の導電膜の間に挟まれる領域を備え、絶縁膜２５０１Ｃは開口部２５９１Ａを備える。
【０１９９】
第１の導電膜は、第１表示素子２７５０（ｉ，ｊ）と電気的に接続される。具体的には、第１表示素子２７５０（ｉ，ｊ）の電極２７５１（ｉ，ｊ）と電気的に接続される。なお、電極２７５１（ｉ，ｊ）を、第１の導電膜に用いることができる。
【０２００】
第２の導電膜は、第１の導電膜と重なる領域を備える。第２の導電膜は、開口部２５９１Ａにおいて、第１の導電膜と電気的に接続される。例えば、導電膜２５１２Ｂを第２の導電膜に用いることができる。第２の導電膜は、画素回路と電気的に接続される。例えば、画素回路のスイッチＳＷ１に用いるトランジスタのソース電極またはドレイン電極として機能する導電膜を第２の導電膜に用いることができる。ところで、絶縁膜２５０１Ｃに設けられた開口部２５９１Ａにおいて第２の導電膜と電気的に接続される第１の導電膜を、貫通電極ということができる。
【０２０１】
第２表示素子２５５０（ｉ，ｊ）は、画素回路と電気的に接続される。第２表示素子２５５０（ｉ，ｊ）は、機能層２５２０に向けて光を射出する機能を備える。また、第２表示素子２５５０（ｉ，ｊ）は、例えば、レンズ２５８０または光学素子２５６０に向けて光を射出する機能を備える。
【０２０２】
第１表示素子２７５０（ｉ，ｊ）を用いた表示を視認できる範囲の一部において、第２表示素子２５５０（ｉ，ｊ）を用いた表示を視認できるように、第２表示素子２５５０（ｉ，ｊ）が配設される。例えば、第２表示素子２５５０（ｉ，ｊ）が射出する光を遮らない領域２７５１Ｈを備える形状を第１表示素子２７５０（ｉ，ｊ）の電極２７５１（ｉ，ｊ）に用いる。なお、外光を反射する強度を制御して画像情報を表示する第１表示素子２７５０（ｉ，ｊ）に外光が入射し反射する方向を、破線の矢印を用いて図中に示す。また、第１表示素子２７５０（ｉ，ｊ）を用いた表示を視認できる範囲の一部に第２表示素子２５５０（ｉ，ｊ）が光を射出する方向を、実線の矢印を用いて図中に示す。
【０２０３】
これにより、第１表示素子を用いた表示を視認することができる領域の一部において、第２表示素子を用いた表示を視認することができる。または、入出力パネルの姿勢等を変えることなく使用者は表示を視認することができる。または、第１表示素子が反射する光が表現する物体色と、第２表示素子が射出する光が表現する光源色とを掛け合わせることができる。または、物体色および光源色を用いて絵画的な表示をすることができる。その結果、利便性または信頼性に優れた新規な入出力パネルを提供することができる。
【０２０４】
例えば、第１表示素子２７５０（ｉ，ｊ）は、電極２７５１（ｉ，ｊ）と、電極２７５２と、液晶材料を含む層２７５３と、を備える。また、配向膜ＡＦ１と、配向膜ＡＦ２とを備える。具体的には、反射型の液晶素子を第１表示素子２７５０（ｉ，ｊ）に用いることができる。
【０２０５】
例えば、屈折率２．０近傍の透明導電膜を電極２７５２または電極２７５１（ｉ，ｊ）に用いることができる。具体的には、インジウムとスズとシリコンを含む酸化物を電極２７５２または電極２７５１（ｉ，ｊ）に用いることができる。または、屈折率１．６近傍の材料を配向膜に用いることができる。また、液晶層の誘電率の異方性を２以上３．８以下とし、液晶層の抵抗率を１．０×１０１４（Ω・ｃｍ）以上１．０×１０１５（Ω・ｃｍ）以下とすることで、ＩＤＳ駆動が可能であり、入出力パネルの消費電力を低減することができるため好ましい。
【０２０６】
例えば、第２表示素子２５５０（ｉ，ｊ）は、電極２５５１（ｉ，ｊ）と、電極２５５２と、発光性の材料を含む層２５５３（ｊ）と、を備える。電極２５５２は、電極２５５１（ｉ，ｊ）と重なる領域を備える。発光性の材料を含む層２５５３（ｊ）は、電極２５５１（ｉ，ｊ）および電極２５５２の間に挟まれる領域を備える。電極２５５１（ｉ，ｊ）は、接続部２５２２において、画素回路と電気的に接続される。具体的には、有機ＥＬ素子を第２表示素子２５５０（ｉ，ｊ）に用いることができる。
【０２０７】
例えば、屈折率２．０近傍の透明導電膜を電極２５５１（ｉ，ｊ）に用いることができる。具体的には、インジウムとスズとシリコンを含む酸化物を電極２５５１（ｉ，ｊ）に用いることができる。または、屈折率１．８近傍の材料を発光性の材料を含む層２５５３（ｊ）に用いることができる。
【０２０８】
光学素子２５６０は透光性を備え、光学素子２５６０は第１の領域、第２の領域および第３の領域を備える。
【０２０９】
第１の領域は第２表示素子２５５０（ｉ，ｊ）から可視光を供給される領域を含み、第２の領域は被覆膜２５６５と接する領域を含み、第３の領域は可視光の一部を射出する機能を備える。また、第３の領域は第１の領域の可視光を供給される領域の面積以下の面積を備える。
【０２１０】
被覆膜２５６５は可視光に対する反射性を備え、被覆膜２５６５は可視光の一部を反射して、第３の領域に供給する機能を備える。
【０２１１】
例えば、金属を被覆膜２５６５に用いることができる。具体的には、銀を含む材料を被覆膜２５６５に用いることができる。例えば、銀およびパラジウム等を含む材料または銀および銅等を含む材料を被覆膜２５６５に用いることができる。
【０２１２】
＜＜レンズ２５８０＞＞
可視光を透過する材料をレンズ２５８０に用いることができる。または、１．３以上２．５以下の屈折率を備える材料をレンズ２５８０に用いることができる。例えば、無機材料または有機材料をレンズ２５８０に用いることができる。
【０２１３】
例えば、酸化物または硫化物を含む材料をレンズ２５８０に用いることができる。
【０２１４】
具体的には、酸化セリウム、酸化ハフニウム、酸化ランタン、酸化マグネシウム、酸化ニオブ、酸化タンタル、酸化チタン、酸化イットリウム、酸化亜鉛、インジウムとスズを含む酸化物またはインジウムとガリウムと亜鉛を含む酸化物などを、レンズ２５８０に用いることができる。または、硫化亜鉛などを、レンズ２５８０に用いることができる。
【０２１５】
例えば、樹脂を含む材料をレンズ２５８０に用いることができる。具体的には、塩素、臭素またはヨウ素が導入された樹脂、重金属原子が導入された樹脂、芳香環が導入された樹脂、硫黄が導入された樹脂などをレンズ２５８０に用いることができる。または、樹脂と樹脂より屈折率の高い材料のナノ粒子を含む樹脂をレンズ２５８０に用いることができる。酸化チタンまたは酸化ジルコニウムなどをナノ粒子に用いることができる。
【０２１６】
＜＜機能層２７２０＞＞
機能層２７２０は、基板２７７０および絶縁膜２５０１Ｃの間に挟まれる領域を備える。機能層２７２０は、絶縁膜２７７１と、着色膜ＣＦ１と、を有する。
【０２１７】
着色膜ＣＦ１は、基板２７７０および第１表示素子２７５０（ｉ，ｊ）の間に挟まれる領域を備える。
【０２１８】
絶縁膜２７７１は、着色膜ＣＦ１と液晶材料を含む層２７５３の間に挟まれる領域を備える。これにより、着色膜ＣＦ１の厚さに基づく凹凸を平坦にすることができる。または、着色膜ＣＦ１等から液晶材料を含む層２７５３への不純物の拡散を、抑制することができる。
【０２１９】
例えば、屈折率１．５５近傍のアクリル樹脂を、絶縁膜２７７１に用いることができる。
【０２２０】
＜＜基板２５７０、基板２７７０＞＞
また、本実施の形態で説明する入出力パネルは、基板２５７０と、基板２７７０と、を有する。
【０２２１】
基板２７７０は、基板２５７０と重なる領域を備える。基板２７７０は、基板２５７０との間に機能層２５２０を挟む領域を備える。
【０２２２】
基板２７７０は、第１表示素子２７５０（ｉ，ｊ）と重なる領域を備える。例えば、複屈折が抑制された材料を当該領域に用いることができる。
【０２２３】
例えば、屈折率１．５近傍の樹脂材料を基板２７７０に用いることができる。
【０２２４】
＜＜接合層２５０５＞＞
また、本実施の形態で説明する入出力パネルは、接合層２５０５を有する。
【０２２５】
接合層２５０５は、機能層２５２０および基板２５７０の間に挟まれる領域を備え、機能層２５２０および基板２５７０を貼り合せる機能を備える。
【０２２６】
＜＜構造体ＫＢ１、構造体ＫＢ２＞＞
また、本実施の形態で説明する入出力パネルは、構造体ＫＢ１と、構造体ＫＢ２とを有する。
【０２２７】
構造体ＫＢ１は、機能層２５２０および基板２７７０の間に所定の間隙を設ける機能を備える。構造体ＫＢ１は領域２７５１Ｈと重なる領域を備え、構造体ＫＢ１は透光性を備える。これにより、第２表示素子２５５０（ｉ，ｊ）によって射出される光を一方の面に供給され、他方の面から射出することができる。
【０２２８】
また、構造体ＫＢ１は光学素子２５６０と重なる領域を備え、例えば、光学素子２５６０に用いる材料の屈折率との差が０．２以下になるように選択された材料を構造体ＫＢ１に用いる。これにより、第２表示素子が射出する光を効率よく利用することができる。または、第２表示素子の面積を広くすることができる。または、有機ＥＬ素子に流す電流の密度を下げることができる。
【０２２９】
構造体ＫＢ２は、偏光層２７７０ＰＢの厚さを所定の厚さに制御する機能を備える。構造体ＫＢ２は第２表示素子２５５０（ｉ，ｊ）と重なる領域を備え、構造体ＫＢ２は透光性を備える。
【０２３０】
または、所定の色の光を透過する材料を構造体ＫＢ１または構造体ＫＢ２に用いることができる。これにより、構造体ＫＢ１または構造体ＫＢ２を例えばカラーフィルターに用いることができる。例えば、青色、緑色または赤色の光を透過する材料を構造体ＫＢ１または構造体ＫＢ２に用いることができる。また、黄色の光または白色の光等を透過する材料を構造体ＫＢ１または構造体ＫＢ２に用いることができる。
【０２３１】
具体的には、ポリエステル、ポリオレフィン、ポリアミド、ポリイミド、ポリカーボネート、ポリシロキサン若しくはアクリル樹脂等またはこれらから選択された複数の樹脂の複合材料などを構造体ＫＢ１または構造体ＫＢ２に用いることができる。また、感光性を有する材料を用いて形成してもよい。
【０２３２】
例えば、屈折率１．５近傍のアクリル樹脂を構造体ＫＢ１に用いることができる。また、屈折率１．５５近傍のアクリル樹脂を構造体ＫＢ２に用いることができる。
【０２３３】
＜＜入力ユニット２０３０＞＞
入力ユニット２０３０は検知素子を備える。検知素子は、画素２７０２（ｉ，ｊ）と重なる領域に近接するものを検知する機能を備える。これにより、表示部に近接させる指などをポインタに用いて、位置情報を入力することができる。
【０２３４】
例えば、静電容量型の近接センサ、電磁誘導型の近接センサ、光学方式の近接センサ、抵抗膜方式の近接センサまたは表面弾性波方式の近接センサなどを、入力ユニット２０３０に用いることができる。具体的には、表面型静電容量方式、投影型静電容量方式または赤外線検知型の近接センサを用いることができる。
【０２３５】
例えば、静電容量方式の近接センサを備える屈折率１．６近傍のタッチセンサを入力ユニット２０３０に用いることができる。
【０２３６】
＜＜機能膜２７７０Ｄ、機能膜２７７０Ｐ等＞＞
また、本実施の形態で説明する入出力パネル２７００ＴＰ３は、機能膜２７７０Ｄと、機能膜２７７０Ｐと、を有する。
【０２３７】
機能膜２７７０Ｄは第１表示素子２７５０（ｉ，ｊ）と重なる領域を備える。機能膜２７７０Ｄは機能層２５２０との間に第１表示素子２７５０（ｉ，ｊ）を挟む領域を備える。
【０２３８】
例えば、光拡散フィルムを機能膜２７７０Ｄに用いることができる。具体的には、基材の表面と交差する方向に沿った軸を備える柱状構造を有する材料を、機能膜２７７０Ｄに用いることができる。これにより、光を軸に沿った方向に透過し易く、他の方向に散乱し易くすることができる。または、例えば、第１表示素子２７５０（ｉ，ｊ）が反射する光を拡散することができる。
【０２３９】
機能膜２７７０Ｐは、偏光層２７７０ＰＢ、位相差フィルム２７７０ＰＡまたは構造体ＫＢ２を備える。偏光層２７７０ＰＢは開口部を備え、位相差フィルム２７７０ＰＡは偏光層２７７０ＰＢと重なる領域を備える。なお、構造体ＫＢ２は開口部に設けられる。
【０２４０】
例えば、二色性色素、液晶材料および樹脂を偏光層２７７０ＰＢに用いることができる。偏光層２７７０ＰＢは、偏光性を備える。これにより、機能膜２７７０Ｐを偏光板に用いることができる。
【０２４１】
偏光層２７７０ＰＢは第１表示素子２７５０（ｉ，ｊ）と重なる領域を備え、構造体ＫＢ２は第２表示素子２５５０（ｉ，ｊ）と重なる領域を備える。これにより、液晶素子を第１表示素子に用いることができる。例えば、反射型の液晶素子を第１表示素子に用いることができる。または、第２表示素子が射出する光を効率よく取り出すことができる。または、有機ＥＬ素子に流す電流の密度を下げることができる。または、有機ＥＬ素子の信頼性を高めることができる。
【０２４２】
例えば、反射防止フィルム、偏光フィルムまたは位相差フィルムを機能膜２７７０Ｐに用いることができる。具体的には、２色性色素を含む膜および位相差フィルムを機能膜２７７０Ｐに用いることができる。
【０２４３】
また、ゴミの付着を抑制する帯電防止膜、汚れを付着しにくくする撥水性の膜、使用に伴う傷の発生を抑制するハードコート膜などを、機能膜２７７０Ｐに用いることができる。
【０２４４】
例えば、屈折率１．６近傍の材料を拡散フィルムに用いることができる。また、屈折率１．６近傍の材料を位相差フィルム２７７０ＰＡに用いることができる。
【０２４５】
なお、本実施の形態は、本明細書で示す他の実施の形態と適宜組み合わせることができる。
【０２４６】
（実施の形態５）
本実施の形態では、本明細書で開示されるトランジスタに用いることができる金属酸化物について説明する。以下では特に、金属酸化物とＣＡＣ（ｃｌｏｕｄ−ａｌｉｇｎｅｄ  ｃｏｍｐｌｅｍｅｎｔａｒｙ）の詳細について説明する。
【０２４７】
ＣＡＣ−ＯＳまたはＣＡＣ−ｍｅｔａｌ  ｏｘｉｄｅは、材料の一部では導電性の機能と、材料の一部では絶縁性の機能とを有し、材料の全体では半導体としての機能を有する。なお、ＣＡＣ−ＯＳまたはＣＡＣ−ｍｅｔａｌ  ｏｘｉｄｅを、トランジスタのチャネル形成領域に用いる場合、導電性の機能は、キャリアとなる電子（またはホール）を流す機能であり、絶縁性の機能は、キャリアとなる電子を流さない機能である。導電性の機能と、絶縁性の機能とを、それぞれ相補的に作用させることで、スイッチングさせる機能（Ｏｎ／Ｏｆｆさせる機能）をＣＡＣ−ＯＳまたはＣＡＣ−ｍｅｔａｌ  ｏｘｉｄｅに付与することができる。ＣＡＣ−ＯＳまたはＣＡＣ−ｍｅｔａｌ  ｏｘｉｄｅにおいて、それぞれの機能を分離させることで、双方の機能を最大限に高めることができる。
【０２４８】
また、ＣＡＣ−ＯＳまたはＣＡＣ−ｍｅｔａｌ  ｏｘｉｄｅは、導電性領域、及び絶縁性領域を有する。導電性領域は、上述の導電性の機能を有し、絶縁性領域は、上述の絶縁性の機能を有する。また、材料中において、導電性領域と、絶縁性領域とは、ナノ粒子レベルで分離している場合がある。また、導電性領域と、絶縁性領域とは、それぞれ材料中に偏在する場合がある。また、導電性領域は、周辺がぼけてクラウド状に連結して観察される場合がある。
【０２４９】
また、ＣＡＣ−ＯＳまたはＣＡＣ−ｍｅｔａｌ  ｏｘｉｄｅにおいて、導電性領域と、絶縁性領域とは、それぞれ０．５ｎｍ以上１０ｎｍ以下、好ましくは０．５ｎｍ以上３ｎｍ以下のサイズで材料中に分散している場合がある。
【０２５０】
また、ＣＡＣ−ＯＳまたはＣＡＣ−ｍｅｔａｌ  ｏｘｉｄｅは、異なるバンドギャップを有する成分により構成される。例えば、ＣＡＣ−ＯＳまたはＣＡＣ−ｍｅｔａｌ  ｏｘｉｄｅは、絶縁性領域に起因するワイドギャップを有する成分と、導電性領域に起因するナローギャップを有する成分と、により構成される。当該構成の場合、キャリアを流す際に、ナローギャップを有する成分において、主にキャリアが流れる。また、ナローギャップを有する成分が、ワイドギャップを有する成分に相補的に作用し、ナローギャップを有する成分に連動してワイドギャップを有する成分にもキャリアが流れる。このため、上記ＣＡＣ−ＯＳまたはＣＡＣ−ｍｅｔａｌ  ｏｘｉｄｅをトランジスタのチャネル形成領域に用いる場合、トランジスタのオン状態において高い電流駆動力、つまり大きなオン電流、及び高い電界効果移動度を得ることができる。
【０２５１】
すなわち、ＣＡＣ−ＯＳまたはＣＡＣ−ｍｅｔａｌ  ｏｘｉｄｅは、マトリックス複合材（ｍａｔｒｉｘ  ｃｏｍｐｏｓｉｔｅ）、または金属マトリックス複合材（ｍｅｔａｌ  ｍａｔｒｉｘ  ｃｏｍｐｏｓｉｔｅ）と呼称することもできる。したがって、ＣＡＣ−ＯＳを、ｃｌｏｕｄ−ａｌｉｇｎｅｄ  ｃｏｍｐｏｓｉｔｅ−ＯＳと呼称してもよい。
【０２５２】
ＣＡＣ−ＯＳは、例えば、金属酸化物を構成する元素が、０．５ｎｍ以上１０ｎｍ以下、好ましくは、１ｎｍ以上２ｎｍ以下、またはその近傍のサイズで偏在した材料の一構成である。なお、以下では、金属酸化物において、一つあるいはそれ以上の金属元素が偏在し、該金属元素を有する領域が、０．５ｎｍ以上１０ｎｍ以下、好ましくは、１ｎｍ以上２ｎｍ以下、またはその近傍のサイズで混合した状態をモザイク状、またはパッチ状ともいう。
【０２５３】
なお、金属酸化物は、少なくともインジウムを含むことが好ましい。特にインジウム及び亜鉛を含むことが好ましい。また、それらに加えて、アルミニウム、ガリウム、イットリウム、銅、バナジウム、ベリリウム、ホウ素、シリコン、チタン、鉄、ニッケル、ゲルマニウム、ジルコニウム、モリブデン、ランタン、セリウム、ネオジム、ハフニウム、タンタル、タングステン、またはマグネシウムなどから選ばれた一種、または複数種が含まれていてもよい。
【０２５４】
例えば、Ｉｎ−Ｇａ−Ｚｎ酸化物におけるＣＡＣ−ＯＳ（ＣＡＣ−ＯＳの中でもＩｎ−Ｇａ−Ｚｎ酸化物を、特にＣＡＣ−ＩＧＺＯと呼称してもよい。）とは、インジウム酸化物（以下、ＩｎＯＸ１（Ｘ１は０よりも大きい実数）とする。）、またはインジウム亜鉛酸化物（以下、ＩｎＸ２ＺｎＹ２ＯＺ２（Ｘ２、Ｙ２、及びＺ２は０よりも大きい実数）とする。）と、ガリウム酸化物（以下、ＧａＯＸ３（Ｘ３は０よりも大きい実数）とする。）、またはガリウム亜鉛酸化物（以下、ＧａＸ４ＺｎＹ４ＯＺ４（Ｘ４、Ｙ４、及びＺ４は０よりも大きい実数）とする。）などと、に材料が分離することでモザイク状となり、モザイク状のＩｎＯＸ１、またはＩｎＸ２ＺｎＹ２ＯＺ２が、膜中に均一に分布した構成（以下、クラウド状ともいう。）である。
【０２５５】
つまり、ＣＡＣ−ＯＳは、ＧａＯＸ３が主成分である領域と、ＩｎＸ２ＺｎＹ２ＯＺ２、またはＩｎＯＸ１が主成分である領域とが、混合している構成を有する複合金属酸化物である。なお、本明細書において、例えば、第１の領域の元素Ｍに対するＩｎの原子数比が、第２の領域の元素Ｍに対するＩｎの原子数比よりも大きいことを、第１の領域は、第２の領域と比較して、Ｉｎの濃度が高いとする。
【０２５６】
なお、ＩＧＺＯは通称であり、Ｉｎ、Ｇａ、Ｚｎ、及びＯによる１つの化合物をいう場合がある。代表例として、ＩｎＧａＯ３（ＺｎＯ）ｍ１（ｍ１は自然数）、またはＩｎ（１＋ｘ０）Ｇａ（１−ｘ０）Ｏ３（ＺｎＯ）ｍ０（−１≦ｘ０≦１、ｍ０は任意数）で表される結晶性の化合物が挙げられる。
【０２５７】
上記結晶性の化合物は、単結晶構造、多結晶構造、またはＣＡＡＣ（ｃ−ａｘｉｓ  ａｌｉｇｎｅｄ  ｃｒｙｓｔａｌ）構造を有する。なお、ＣＡＡＣ構造とは、複数のＩＧＺＯのナノ結晶がｃ軸配向を有し、かつａ−ｂ面においては配向せずに連結した結晶構造である。
【０２５８】
一方、ＣＡＣ−ＯＳは、金属酸化物の材料構成に関する。ＣＡＣ−ＯＳとは、Ｉｎ、Ｇａ、Ｚｎ、及びＯを含む材料構成において、一部にＧａを主成分とするナノ粒子状に観察される領域と、一部にＩｎを主成分とするナノ粒子状に観察される領域とが、それぞれモザイク状にランダムに分散している構成をいう。従って、ＣＡＣ−ＯＳにおいて、結晶構造は副次的な要素である。
【０２５９】
なお、ＣＡＣ−ＯＳは、組成の異なる二種類以上の膜の積層構造は含まないものとする。例えば、Ｉｎを主成分とする膜と、Ｇａを主成分とする膜との２層からなる構造は、含まない。
【０２６０】
なお、ＧａＯＸ３が主成分である領域と、ＩｎＸ２ＺｎＹ２ＯＺ２、またはＩｎＯＸ１が主成分である領域とは、明確な境界が観察できない場合がある。
【０２６１】
なお、ガリウムの代わりに、アルミニウム、イットリウム、銅、バナジウム、ベリリウム、ホウ素、シリコン、チタン、鉄、ニッケル、ゲルマニウム、ジルコニウム、モリブデン、ランタン、セリウム、ネオジム、ハフニウム、タンタル、タングステン、またはマグネシウムなどから選ばれた一種、または複数種が含まれている場合、ＣＡＣ−ＯＳは、一部に該金属元素を主成分とするナノ粒子状に観察される領域と、一部にＩｎを主成分とするナノ粒子状に観察される領域とが、それぞれモザイク状にランダムに分散している構成をいう。
【０２６２】
ＣＡＣ−ＯＳは、例えば基板を意図的に加熱しない条件で、スパッタリング法により形成することができる。また、ＣＡＣ−ＯＳをスパッタリング法で形成する場合、成膜ガスとして、不活性ガス（代表的にはアルゴン）、酸素ガス、及び窒素ガスの中から選ばれたいずれか一つまたは複数を用いればよい。また、成膜時の成膜ガスの総流量に対する酸素ガスの流量比は低いほど好ましく、例えば酸素ガスの流量比を０％以上３０％未満、好ましくは０％以上１０％以下とすることが好ましい。
【０２６３】
ＣＡＣ−ＯＳは、Ｘ線回折（ＸＲＤ：Ｘ−ｒａｙ  ｄｉｆｆｒａｃｔｉｏｎ）測定法のひとつであるＯｕｔ−ｏｆ−ｐｌａｎｅ法によるθ／２θスキャンを用いて測定したときに、明確なピークが観察されないという特徴を有する。すなわち、Ｘ線回折から、測定領域のａ−ｂ面方向、及びｃ軸方向の配向は見られないことが分かる。
【０２６４】
またＣＡＣ−ＯＳは、プローブ径が１ｎｍの電子線（ナノビーム電子線ともいう。）を照射することで得られる電子線回折パターンにおいて、リング状に輝度の高い領域と、該リング領域に複数の輝点が観測される。従って、電子線回折パターンから、ＣＡＣ−ＯＳの結晶構造が、平面方向、及び断面方向において、配向性を有さないｎｃ（ｎａｎｏ−ｃｒｙｓｔａｌ）構造を有することがわかる。
【０２６５】
また例えば、Ｉｎ−Ｇａ−Ｚｎ酸化物におけるＣＡＣ−ＯＳでは、エネルギー分散型Ｘ線分光法（ＥＤＸ：Ｅｎｅｒｇｙ  Ｄｉｓｐｅｒｓｉｖｅ  Ｘ−ｒａｙ  ｓｐｅｃｔｒｏｓｃｏｐｙ）を用いて取得したＥＤＸマッピングにより、ＧａＯＸ３が主成分である領域と、ＩｎＸ２ＺｎＹ２ＯＺ２、またはＩｎＯＸ１が主成分である領域とが、偏在し、混合している構造を有することが確認できる。
【０２６６】
ＣＡＣ−ＯＳは、金属元素が均一に分布したＩＧＺＯ化合物とは異なる構造であり、ＩＧＺＯ化合物と異なる性質を有する。つまり、ＣＡＣ−ＯＳは、ＧａＯＸ３などが主成分である領域と、ＩｎＸ２ＺｎＹ２ＯＺ２、またはＩｎＯＸ１が主成分である領域と、に互いに相分離し、各元素を主成分とする領域がモザイク状である構造を有する。
【０２６７】
ここで、ＩｎＸ２ＺｎＹ２ＯＺ２、またはＩｎＯＸ１が主成分である領域は、ＧａＯＸ３などが主成分である領域と比較して、導電性が高い領域である。つまり、ＩｎＸ２ＺｎＹ２ＯＺ２、またはＩｎＯＸ１が主成分である領域を、キャリアが流れることにより、酸化物半導体としての導電性が発現する。従って、ＩｎＸ２ＺｎＹ２ＯＺ２、またはＩｎＯＸ１が主成分である領域が、酸化物半導体中にクラウド状に分布することで、高い電界効果移動度（μ）が実現できる。
【０２６８】
一方、ＧａＯＸ３などが主成分である領域は、ＩｎＸ２ＺｎＹ２ＯＺ２、またはＩｎＯＸ１が主成分である領域と比較して、絶縁性が高い領域である。つまり、ＧａＯＸ３などが主成分である領域が、酸化物半導体中に分布することで、リーク電流を抑制し、良好なスイッチング動作を実現できる。
【０２６９】
従って、ＣＡＣ−ＯＳを半導体素子に用いた場合、ＧａＯＸ３などに起因する絶縁性と、ＩｎＸ２ＺｎＹ２ＯＺ２、またはＩｎＯＸ１に起因する導電性とが、相補的に作用することにより、高いオン電流（Ｉｏｎ）、及び高い電界効果移動度（μ）を実現することができる。
【０２７０】
また、ＣＡＣ−ＯＳを用いた半導体素子は、信頼性が高い。従って、ＣＡＣ−ＯＳは、ディスプレイをはじめとするさまざまな半導体装置に最適である。
【０２７１】
また、本実施の形態は、本明細書で示す他の実施の形態と適宜組み合わせることができる。
【０２７２】
（実施の形態６）
本実施の形態では、電子機器システムに備えることができる入力インターフェースの一例である、タッチセンサユニットについて、説明する。
【０２７３】
図１４（Ａ）は、別の実施の形態で説明したハイブリッド表示装置、又は表示装置に備えることができるタッチセンサユニットの回路構成例を示す。タッチセンサユニット３００は、タッチセンサユニット３００は、センサアレイ３０２、ＴＳ（タッチセンサ）ドライバＩＣ３１１、センス回路３１２を有する。また、図１４（Ａ）では、ＴＳドライバＩＣ３１１と、センス回路３１２と、をまとめて周辺回路３１５と図示している。
【０２７４】
ここでは、タッチセンサユニット３００が相互容量タッチセンサユニットである例を示す。センサアレイ３０２は、ｍ本（ｍは１以上の整数）の配線ＤＲＬ、ｎ本（ｎは１以上の整数）の配線ＳＮＬを有する。配線ＤＲＬはドライブ線であり、配線ＳＮＬはセンス線である。ここでは、第α番目の配線ＤＲＬを配線ＤＲＬ＜α＞と呼び、第β番目の配線ＳＮＬを配線ＳＮＬ＜β＞と呼ぶこととする。容量素子ＣＴαβは、配線ＤＲＬ＜α＞と配線ＳＮＬ＜β＞との間に形成される容量素子である。
【０２７５】
ｍ本の配線ＤＲＬはＴＳドライバＩＣ３１１に電気的に接続されている。ＴＳドライバＩＣ３１１は配線ＤＲＬを駆動する機能を有する。ｎ本の配線ＳＮＬはセンス回路３１２に電気的に接続されている。センス回路３１２は、配線ＳＮＬの信号を検出する機能を有する。ＴＳドライバＩＣ３１１によって配線ＤＲＬ＜α＞が駆動されているときの配線ＳＮＬ＜β＞の信号は、容量素子ＣＴαβの容量値の変化量の情報をもつ。ｎ本の配線ＳＮＬの信号を解析することで、タッチの有無、タッチ位置などの情報を得ることができる。
【０２７６】
図１４（Ｂ）は、上述したタッチセンサユニット３００の概観の一例を上面図として示している。図１４（Ｂ）において、タッチセンサユニット３００は、基材３０１上にセンサアレイ３０２と、ＴＳドライバＩＣ３１１と、センス回路３１２と、を有する。また、図１４（Ａ）と同様に、図１４（Ｂ）では、ＴＳドライバＩＣ３１１と、センス回路３１２と、をまとめて周辺回路３１５と図示している。
【０２７７】
センサアレイ３０２は、基材３０１上に形成され、ＴＳドライバＩＣ３１１と、センス回路３１２と、は、ＩＣチップなどの構成として、異方性導電接着剤、又は異方性導電フィルムなどを用いて、ＣＯＧ（Ｃｈｉｐ  Ｏｎ  Ｇｌａｓｓ）方式で、基材３０１上に実装されている。そして、タッチセンサユニット３００は、外部との信号の入出力手段として、ＦＰＣ３１３、ＦＰＣ３１４と電気的に接続されている。
【０２７８】
加えて、基材３０１上には、各回路を電気的に接続するための配線３３１乃至配線３３４が形成されている。タッチセンサユニット３００において、ＴＳドライバＩＣ３１１は、配線３３１を介して、センサアレイ３０２と電気的に接続され、更に、ＴＳドライバＩＣ３１１は、配線３３３を介して、ＦＰＣ３１３と電気的に接続されている。センス回路３１２は、配線３３２を介して、センサアレイ３０２と電気的に接続され、更に、ＴＳドライバＩＣ３１１は、配線３３４を介して、ＦＰＣ３１４と電気的に接続されている。
【０２７９】
配線３３３とＦＰＣ３１３と、の接続部３２０には、異方性を有する導電性の接着剤などを有している。これによって、ＦＰＣ３１３と配線３３３との間で電気的な導通を行うことができる。同様に、配線３３４とＦＰＣ３１４と、の接続部３２１にも、異方性を有する導電性の接着剤などを有しており、これによって、ＦＰＣ３１４と配線３３４との間で電気的な導通を行うことができる。
【０２８０】
また、本実施の形態は、本明細書で示す他の実施の形態と適宜組み合わせることができる。
【０２８１】
（実施の形態７）
＜表示モジュールの応用例＞
本実施の形態では、上述の実施の形態で説明したハイブリッド表示装置を用いた表示モジュールの応用例について、図１５を用いて説明を行う。
【０２８２】
図１５（Ａ）に示す表示モジュール８０００は、上部カバー８００１と下部カバー８００２との間に、ＦＰＣ８００５に接続された表示パネル８００６、フレーム８００９、プリント基板８０１０、及びバッテリ８０１１を有する。
【０２８３】
上記の実施の形態で説明したハイブリッド表示装置１１０、また表示部１０１は、表示パネル８００６に用いることができる。
【０２８４】
上部カバー８００１及び下部カバー８００２は、表示パネル８００６のサイズに合わせて、形状や寸法を適宜変更することができる。
【０２８５】
また、表示パネル８００６に重ねてタッチパネルを設けてもよい。タッチパネルとしては、抵抗膜方式または静電容量方式のタッチパネルを表示パネル８００６に重畳して用いることができる。また、タッチパネルを設けず、表示パネル８００６に、タッチパネル機能を持たせるようにすることも可能である。
【０２８６】
フレーム８００９は、表示パネル８００６の保護機能の他、プリント基板８０１０の動作により発生する電磁波を遮断するための電磁シールドとしての機能を有する。またフレーム８００９は、放熱板としての機能を有していてもよい。
【０２８７】
プリント基板８０１０は、電源回路、ビデオ信号及びクロック信号を出力するための信号処理回路を有する。電源回路に電力を供給する電源としては、外部の商用電源であっても良いし、別途設けたバッテリ８０１１による電源であってもよい。バッテリ８０１１は、商用電源を用いる場合には、省略可能である。
【０２８８】
また、表示モジュール８０００は、偏光板、位相差板、プリズムシートなどの部材を追加して設けてもよい。
【０２８９】
図１５（Ｂ）は、光学式のタッチセンサを備える表示モジュール８０００の断面概略図である。
【０２９０】
表示モジュール８０００は、プリント基板８０１０に設けられた発光部８０１５及び受光部８０１６を有する。また、上部カバー８００１と下部カバー８００２により囲まれた領域に一対の導光部（導光部８０１７ａ、導光部８０１７ｂ）を有する。
【０２９１】
上部カバー８００１と下部カバー８００２は、例えばプラスチック等を用いることができる。また、上部カバー８００１と下部カバー８００２とは、それぞれ薄く（例えば０．５ｍｍ以上５ｍｍ以下）することが可能である。そのため、表示モジュール８０００を極めて軽量にすることが可能となる。また少ない材料で上部カバー８００１と下部カバー８００２を作製できるため、作製コストを低減できる。
【０２９２】
表示パネル８００６は、フレーム８００９を間に介してプリント基板８０１０やバッテリ８０１１と重ねて設けられている。表示パネル８００６とフレーム８００９は、導光部８０１７ａ、導光部８０１７ｂに固定されている。
【０２９３】
発光部８０１５から発せられた光８０１８は、導光部８０１７ａにより表示パネル８００６の上部を経由し、導光部８０１７ｂを通って受光部８０１６に達する。例えば指やスタイラスなどの被検知体により、光８０１８が遮られることにより、タッチ操作を検出することができる。
【０２９４】
発光部８０１５は、例えば表示パネル８００６の隣接する２辺に沿って複数設けられる。受光部８０１６は、発光部８０１５と表示パネル８００６を挟んで対向する位置に複数設けられる。これにより、タッチ操作がなされた位置の情報を取得することができる。
【０２９５】
発光部８０１５は、例えばＬＥＤ素子などの光源を用いることができる。特に、発光部８０１５として、使用者に視認されず、且つ使用者にとって無害である赤外線を発する光源を用いることが好ましい。
【０２９６】
受光部８０１６は、発光部８０１５が発する光を受光し、電気信号に変換する光電素子を用いることができる。好適には、赤外線を受光可能なフォトダイオードを用いることができる。
【０２９７】
導光部８０１７ａ、導光部８０１７ｂとしては、少なくとも光８０１８を透過する部材を用いることができる。導光部８０１７ａ及び導光部８０１７ｂを用いることで、発光部８０１５と受光部８０１６とを表示パネル８００６の下側に配置することができ、外光が受光部８０１６に到達してタッチセンサが誤動作することを抑制できる。特に、可視光を吸収し、赤外線を透過する樹脂を用いることが好ましい。これにより、タッチセンサの誤動作をより効果的に抑制できる。
【０２９８】
なお、本実施の形態は、本明細書で示す他の実施の形態と適宜組み合わせることができる。
【０２９９】
（実施の形態８）
本実施の形態では、開示する電子機器システムに適用できる電子機器の一例について説明する。
【０３００】
＜ノート型パーソナルコンピュータ＞
図１６（Ａ）はノート型パーソナルコンピュータであり、筐体５４０１、表示部５４０２、キーボード５４０３、ポインティングデバイス５４０４等を有する。本発明の一態様の表示装置は、表示部５４０２に用いることができる。
【０３０１】
＜スマートウォッチ＞
図１６（Ｂ）はウェアラブル端末の一種であるスマートウォッチであり、筐体５９０１、表示部５９０２、操作ボタン５９０３、操作子５９０４、バンド５９０５などを有する。本発明の一態様の表示装置は、スマートウォッチに適用することができる。また、表示部５９０２に、位置入力装置としての機能が付加された表示装置を用いるようにしてもよい。また、位置入力装置としての機能は、表示装置にタッチパネルを設けることで付加することができる。あるいは、位置入力装置としての機能は、フォトセンサとも呼ばれる光電変換素子を表示装置の画素部に設けることでも、付加することができる。また、操作ボタン５９０３にスマートウォッチを起動する電源スイッチ、スマートウォッチのアプリケーションを操作するボタン、音量調整ボタン、または表示部５９０２を点灯、あるいは消灯するスイッチなどのいずれかを備えることができる。また、図１６（Ｂ）に示したスマートウォッチでは、操作ボタン５９０３の数を２個示しているが、スマートウォッチの有する操作ボタンの数は、これに限定されない。また、操作子５９０４は、スマートウォッチの時刻合わせを行うリューズとして機能する。また、操作子５９０４は、時刻合わせ以外に、スマートウォッチのアプリケーションを操作する入力インターフェースとして、用いるようにしてもよい。なお、図１６（Ｂ）に示したスマートウォッチでは、操作子５９０４を有する構成となっているが、これに限定せず、操作子５９０４を有さない構成であってもよい。
【０３０２】
＜ビデオカメラ＞
図１６（Ｃ）はビデオカメラであり、第１筐体５８０１、第２筐体５８０２、表示部５８０３、操作キー５８０４、レンズ５８０５、接続部５８０６等を有する。本発明の一態様の表示装置は、ビデオカメラに適用することができる。操作キー５８０４及びレンズ５８０５は第１筐体５８０１に設けられており、表示部５８０３は第２筐体５８０２に設けられている。そして、第１筐体５８０１と第２筐体５８０２とは、接続部５８０６により接続されており、第１筐体５８０１と第２筐体５８０２の間の角度は、接続部５８０６により変更が可能である。表示部５８０３における映像を、接続部５８０６における第１筐体５８０１と第２筐体５８０２との間の角度に従って切り替える構成としてもよい。
【０３０３】
＜携帯電話＞
図１６（Ｄ）は、情報端末の機能を有する携帯電話であり、筐体５５０１、表示部５５０２、マイク５５０３、スピーカ５５０４、操作ボタン５５０５を有する。本発明の一態様の表示装置は、携帯電話に適用することができる。また、表示部５５０２に、位置入力装置としての機能が付加された表示装置を用いるようにしてもよい。また、位置入力装置としての機能は、表示装置にタッチパネルを設けることで付加することができる。あるいは、位置入力装置としての機能は、フォトセンサとも呼ばれる光電変換素子を表示装置の画素部に設けることでも、付加することができる。また、操作ボタン５５０５に携帯電話を起動する電源スイッチ、携帯電話のアプリケーションを操作するボタン、音量調整ボタン、または表示部５５０２を点灯、あるいは消灯するスイッチなどのいずれかを備えることができる。
【０３０４】
また、図１６（Ｄ）に示した携帯電話では、操作ボタン５５０５の数を２個示しているが、携帯電話の有する操作ボタンの数は、これに限定されない。また、図示していないが、図１６（Ｄ）に示した携帯電話は、フラッシュライト、または照明の用途として発光装置を有する構成であってもよい。
【０３０５】
＜テレビジョン装置＞
図１６（Ｅ）は、テレビジョン装置を示す斜視図である。テレビジョン装置は、筐体９０００、表示部９００１、スピーカ９００３、操作キー９００５（電源スイッチ、または操作スイッチを含む）、接続端子９００６、センサ９００７（力、変位、位置、速度、加速度、角速度、回転数、距離、光、液、磁気、温度、化学物質、音声、時間、硬度、電場、電流、電圧、電力、放射線、流量、湿度、傾度、振動、においまたは赤外線を測定する機能を含むもの）などを有する。テレビジョン装置９１００は、表示部９００１を大画面、例えば、５０インチ以上、または１００インチ以上の表示部９００１を組み込むことが可能である。
【０３０６】
＜移動体＞
上述した表示装置は、移動体である自動車の運転席周辺に適用することもできる。
【０３０７】
例えば、図１６（Ｆ）は、自動車の室内におけるフロントガラス周辺を表す図である。図１６（Ｆ）では、ダッシュボードに取り付けられた表示パネル５７０１、表示パネル５７０２、表示パネル５７０３の他、ピラーに取り付けられた表示パネル５７０４を図示している。
【０３０８】
表示パネル５７０１乃至表示パネル５７０３は、ナビゲーション情報、スピードメーターやタコメーター、走行距離、給油量、ギア状態、エアコンの設定など、その他様々な情報を提供することができる。また、表示パネルに表示される表示項目やレイアウトなどは、ユーザの好みに合わせて適宜変更することができ、デザイン性を高めることが可能である。表示パネル５７０１乃至表示パネル５７０３は、照明装置として用いることも可能である。
【０３０９】
表示パネル５７０４には、車体に設けられた撮像手段からの映像を映し出すことによって、ピラーで遮られた視界（死角）を補完することができる。すなわち、自動車の外側に設けられた撮像手段からの画像を表示することによって、死角を補い、安全性を高めることができる。また、見えない部分を補完する映像を映すことによって、より自然に違和感なく安全確認を行うことができる。表示パネル５７０４は、照明装置として用いることもできる。
【０３１０】
また、図示していないが、図１６（Ａ）乃至（Ｃ）、（Ｅ）、（Ｆ）に示した電子機器は、マイク及びスピーカを有する構成であってもよい。この構成により、例えば、上述した電子機器に音声入力機能を付することができる。
【０３１１】
また、図示していないが、図１６（Ａ）、（Ｂ）、（Ｄ）乃至（Ｆ）に示した電子機器は、カメラを有する構成であってもよい。
【０３１２】
また、図示していないが、図１６（Ａ）乃至（Ｆ）に示した電子機器は、筐体の内部にセンサ（力、変位、位置、速度、加速度、角速度、回転数、距離、光、液、磁気、温度、化学物質、音声、時間、硬度、電場、電流、電圧、電力、放射線、流量、湿度、傾度、振動、におい又は赤外線などを測定する機能を含むもの）を有する構成であってもよい。特に、図１６（Ｄ）に示す携帯電話に、ジャイロ、加速度センサなどの傾きを検出するセンサを有する検出装置を設けることで、該携帯電話の向き（鉛直方向に対して該携帯電話がどの向きに向いているか）を判断して、表示部５５０２の画面表示を、該携帯電話の向きに応じて自動的に切り替えるようにすることができる。
【０３１３】
また、図示していないが、図１６（Ａ）乃至（Ｆ）に示した電子機器は、指紋、静脈、虹彩、又は声紋など生体情報を取得する装置を有する構成であってもよい。この構成を適用することによって、生体認証機能を有する電子機器を実現することができる。
【０３１４】
また、図１６（Ａ）乃至（Ｆ）に示した電子機器の表示部として、可撓性を有する基材を用いてもよい。具体的には、該表示部は、可撓性を有する基材上にトランジスタ、容量素子、及び表示素子などを設けた構成としてもよい。この構成を適用することによって、図１６（Ａ）乃至（Ｆ）に示した電子機器のように平らな面を有する筐体だけでなく、曲面を有するような筐体の電子機器を実現することができる。
【０３１５】
（本明細書等の記載に関する付記）
以上の実施の形態における各構成の説明について、以下に付記する。
【０３１６】
＜実施の形態で述べた本発明の一態様に関する付記＞
各実施の形態に示す構成は、他の実施の形態に示す構成と適宜組み合わせて、本発明の一態様とすることができる。また、１つの実施の形態の中に、複数の構成例が示される場合は、互いに構成例を適宜組み合わせることが可能である。
【０３１７】
なお、ある一つの実施の形態の中で述べる内容（一部の内容でもよい）は、その実施の形態で述べる別の内容（一部の内容でもよい）と、一つ若しくは複数の別の実施の形態で述べる内容（一部の内容でもよい）との少なくとも一つの内容に対して、適用、組み合わせ、又は置き換えなどを行うことができる。
【０３１８】
なお、実施の形態の中で述べる内容とは、各々の実施の形態において、様々な図を用いて述べる内容、又は明細書に記載される文章を用いて述べる内容のことである。
【０３１９】
なお、ある一つの実施の形態において述べる図（一部でもよい）は、その図の別の部分、その実施の形態において述べる別の図（一部でもよい）と、一つ若しくは複数の別の実施の形態において述べる図（一部でもよい）との少なくとも一つの図に対して、組み合わせることにより、さらに多くの図を構成させることができる。
【０３２０】
＜序数詞に関する付記＞
本明細書等において、「第１」、「第２」、「第３」という序数詞は、構成要素の混同を避けるために付したものである。従って、構成要素の数を限定するものではない。また、構成要素の順序を限定するものではない。また例えば、本明細書等の実施の形態の一において「第１」に言及された構成要素が、他の実施の形態、あるいは特許請求の範囲において「第２」に言及された構成要素とすることもありうる。また例えば、本明細書等の実施の形態の一において「第１」に言及された構成要素を、他の実施の形態、あるいは特許請求の範囲において省略することもありうる。
【０３２１】
＜図面を説明する記載に関する付記＞
実施の形態について図面を参照しながら説明している。但し、実施の形態は多くの異なる態様で実施することが可能であり、趣旨及びその範囲から逸脱することなく、その形態及び詳細を様々に変更し得ることは当業者であれば容易に理解される。従って、本発明は、実施の形態の記載内容に限定して解釈されるものではない。なお、実施の形態の発明の構成において、同一部分又は同様な機能を有する部分には同一の符号を異なる図面間で共通して用い、その繰り返しの説明は省略する。
【０３２２】
また、本明細書等において、「上に」、「下に」などの配置を示す語句は、構成同士の位置関係を、図面を参照して説明するために、便宜上用いている。構成同士の位置関係は、各構成を描写する方向に応じて適宜変化する。そのため、配置を示す語句は、明細書で説明した記載に限定されず、状況に応じて適切に言い換えることができる。
【０３２３】
また、「上」や「下」の用語は、構成要素の位置関係が直上又は直下で、かつ、直接接していることを限定するものではない。例えば、「絶縁層Ａ上の電極Ｂ」の表現であれば、絶縁層Ａの上に電極Ｂが直接接して形成されている必要はなく、絶縁層Ａと電極Ｂとの間に他の構成要素を含むものを除外しない。
【０３２４】
また本明細書等において、ブロック図では、構成要素を機能毎に分類し、互いに独立したブロックとして示している。しかしながら実際の回路等においては、構成要素を機能毎に切り分けることが難しく、一つの回路に複数の機能が係わる場合や、複数の回路にわたって一つの機能が関わる場合があり得る。そのため、ブロック図のブロックは、明細書で説明した構成要素に限定されず、状況に応じて適切に言い換えることができる。
【０３２５】
また、図面において、大きさ、層の厚さ、又は領域は、説明の便宜上任意の大きさに示したものである。よって、必ずしもそのスケールに限定されない。なお図面は明確性を期すために模式的に示したものであり、図面に示す形状又は値などに限定されない。例えば、ノイズによる信号、電圧、若しくは電流のばらつき、又は、タイミングのずれによる信号、電圧、若しくは電流のばらつきなどを含むことが可能である。
【０３２６】
また、図面において、斜視図などにおいて、図面の明確性を期すために、一部の構成要素の記載を省略している場合がある。
【０３２７】
また、図面において、同一の要素又は同様な機能を有する要素、同一の材質の要素、あるいは同時に形成される要素等には同一の符号を付す場合があり、その繰り返しの説明は省略する場合がある。
【０３２８】
＜言い換え可能な記載に関する付記＞
本明細書等において、トランジスタの接続関係を説明する際、ソースとドレインとの一方を、「ソース又はドレインの一方」（又は第１電極、又は第１端子）と表記し、ソースとドレインとの他方を「ソース又はドレインの他方」（又は第２電極、又は第２端子）と表記している。これは、トランジスタのソースとドレインは、トランジスタの構造又は動作条件等によって変わるためである。なおトランジスタのソースとドレインの呼称については、ソース（ドレイン）端子や、ソース（ドレイン）電極等、状況に応じて適切に言い換えることができる。また、本明細書等では、ゲート以外の２つの端子を第１端子、第２端子と呼ぶ場合や、第３端子、第４端子と呼ぶ場合がある。また、本明細書等に記載するトランジスタが２つ以上のゲートを有するとき（この構成をデュアルゲート構造という場合がある）、それらのゲートを第１ゲート、第２ゲートと呼ぶ場合や、フロントゲート、バックゲートと呼ぶ場合がある。特に、「フロントゲート」という語句は、単に「ゲート」という語句に互いに言い換えることができる。また、「バックゲート」という語句は、単に「ゲート」という語句に互いに言い換えることができる。なお、ボトムゲートとは、トランジスタの作製時において、チャネル形成領域よりも先に形成される端子のことをいい、「トップゲート」とは、トランジスタの作製時において、チャネル形成領域よりも後に形成される端子のことをいう。
【０３２９】
トランジスタは、ゲート、ソース、及びドレインと呼ばれる３つの端子を有する。ゲートは、トランジスタの導通状態を制御する制御端子として機能する端子である。ソース又はドレインとして機能する２つの入出力端子は、トランジスタの型及び各端子に与えられる電位の高低によって、一方がソースとなり他方がドレインとなる。このため、本明細書等においては、ソースやドレインの用語は、入れ替えて用いることができるものとする。また、本明細書等では、ゲート以外の２つの端子を第１端子、第２端子と呼ぶ場合や、第３端子、第４端子と呼ぶ場合がある。
【０３３０】
また、本明細書等において「電極」や「配線」の用語は、これらの構成要素を機能的に限定するものではない。例えば、「電極」は「配線」の一部として用いられることがあり、その逆もまた同様である。さらに、「電極」や「配線」の用語は、複数の「電極」や「配線」が一体となって形成されている場合なども含む。
【０３３１】
また、本明細書等において、電圧と電位は、適宜言い換えることができる。電圧は、基準となる電位からの電位差のことであり、例えば基準となる電位をグラウンド電位（接地電位）とすると、電圧を電位に言い換えることができる。グラウンド電位は必ずしも０Ｖを意味するとは限らない。なお電位は相対的なものであり、基準となる電位によっては、配線等に与える電位を変化させる場合がある。
【０３３２】
なお本明細書等において、「膜」、「層」などの語句は、場合によっては、又は、状況に応じて、互いに入れ替えることが可能である。例えば、「導電層」という用語を、「導電膜」という用語に変更することが可能な場合がある。又は、例えば、「絶縁膜」という用語を、「絶縁層」という用語に変更することが可能な場合がある。又は、場合によっては、又は、状況に応じて、「膜」、「層」などの語句を使わずに、別の用語に入れ替えることが可能である。例えば、「導電層」又は「導電膜」という用語を、「導電体」という用語に変更することが可能な場合がある。又は、例えば、「絶縁層」「絶縁膜」という用語を、「絶縁体」という用語に変更することが可能な場合がある。
【０３３３】
なお本明細書等において、「配線」、「信号線」、「電源線」などの用語は、場合によっては、又は、状況に応じて、互いに入れ替えることが可能である。例えば、「配線」という用語を、「信号線」という用語に変更することが可能な場合がある。また、例えば、「配線」という用語を、「電源線」などの用語に変更することが可能な場合がある。また、その逆も同様で、「信号線」「電源線」などの用語を、「配線」という用語に変更することが可能な場合がある。「電源線」などの用語は、「信号線」などの用語に変更することが可能な場合がある。また、その逆も同様で「信号線」などの用語は、「電源線」などの用語に変更することが可能な場合がある。また、配線に印加されている「電位」という用語を、場合によっては、又は、状況に応じて、「信号」などという用語に変更することが可能な場合がある。また、その逆も同様で、「信号」などの用語は、「電位」という用語に変更することが可能な場合がある。
【０３３４】
＜語句の定義に関する付記＞
以下では、上記実施の形態中で言及した語句の定義について説明する。
【０３３５】
＜＜半導体の不純物について＞＞
半導体の不純物とは、例えば、半導体層を構成する主成分以外をいう。例えば、濃度が０．１原子％未満の元素は不純物である。不純物が含まれることにより、例えば、半導体にＤＯＳ（Ｄｅｎｓｉｔｙ  ｏｆ  Ｓｔａｔｅｓ）が形成されることや、キャリア移動度が低下することや、結晶性が低下することなどが起こる場合がある。半導体が酸化物半導体である場合、半導体の特性を変化させる不純物としては、例えば、第１族元素、第２族元素、第１３族元素、第１４族元素、第１５族元素、主成分以外の遷移金属などがあり、特に、例えば、水素（水にも含まれる）、リチウム、ナトリウム、シリコン、ホウ素、リン、炭素、窒素などがある。酸化物半導体の場合、例えば水素などの不純物の混入によって酸素欠損を形成する場合がある。また、半導体がシリコン層である場合、半導体の特性を変化させる不純物としては、例えば、酸素、水素を除く第１族元素、第２族元素、第１３族元素、第１５族元素などがある。
【０３３６】
＜＜トランジスタについて＞＞
本明細書において、トランジスタとは、ゲートと、ドレインと、ソースとを含む少なくとも三つの端子を有する素子である。そして、ドレイン（ドレイン端子、ドレイン領域又はドレイン電極）とソース（ソース端子、ソース領域又はソース電極）の間にチャネル形成領域を有しており、ドレインとチャネル形成領域とソースとを介して電流を流すことができるものである。なお、本明細書等において、チャネル形成領域とは、電流が主として流れる領域をいう。
【０３３７】
また、ソースやドレインの機能は、異なる極性のトランジスタを採用する場合や、回路動作において電流の方向が変化する場合などには入れ替わることがある。このため、本明細書等においては、ソースやドレインの用語は、入れ替えて用いることができるものとする。
【０３３８】
＜＜スイッチについて＞＞
本明細書等において、スイッチとは、導通状態（オン状態）、又は、非導通状態（オフ状態）になり、電流を流すか流さないかを制御する機能を有するものをいう。又は、スイッチとは、電流を流す経路を選択して切り替える機能を有するものをいう。
【０３３９】
一例としては、電気的スイッチ又は機械的なスイッチなどを用いることができる。つまり、スイッチは、電流を制御できるものであればよく、特定のものに限定されない。
【０３４０】
電気的なスイッチの一例としては、トランジスタ（例えば、バイポーラトランジスタ、ＭＯＳトランジスタなど）、ダイオード（例えば、ＰＮダイオード、ＰＩＮダイオード、ショットキーダイオード、ＭＩＭ（Ｍｅｔａｌ  Ｉｎｓｕｌａｔｏｒ  Ｍｅｔａｌ）ダイオード、ＭＩＳ（Ｍｅｔａｌ  Ｉｎｓｕｌａｔｏｒ  Ｓｅｍｉｃｏｎｄｕｃｔｏｒ）ダイオード、ダイオード接続のトランジスタなど）、又はこれらを組み合わせた論理回路などがある。
【０３４１】
なお、スイッチとしてトランジスタを用いる場合、トランジスタの「導通状態」とは、トランジスタのソース電極とドレイン電極が電気的に短絡されているとみなせる状態をいう。また、トランジスタの「非導通状態」とは、トランジスタのソース電極とドレイン電極が電気的に遮断されているとみなせる状態をいう。なおトランジスタを単なるスイッチとして動作させる場合には、トランジスタの極性（導電型）は特に限定されない。
【０３４２】
機械的なスイッチの一例としては、デジタルマイクロミラーデバイス（ＤＭＤ）のように、ＭＥＭＳ（マイクロ・エレクトロ・メカニカル・システム）技術を用いたスイッチがある。そのスイッチは、機械的に動かすことが可能な電極を有し、その電極が動くことによって、導通と非導通とを制御して動作する。
【０３４３】
＜＜接続について＞＞
本明細書等において、ＸとＹとが接続されている、と記載する場合は、ＸとＹとが電気的に接続されている場合と、ＸとＹとが機能的に接続されている場合と、ＸとＹとが直接接続されている場合とを含むものとする。したがって、所定の接続関係、例えば、図又は文章に示された接続関係に限定されず、図又は文章に示された接続関係以外のものも含むものとする。
【０３４４】
ここで使用するＸ、Ｙなどは、対象物（例えば、装置、素子、回路、配線、電極、端子、導電膜、層、など）であるとする。
【０３４５】
ＸとＹとが電気的に接続されている場合の一例としては、ＸとＹとの電気的な接続を可能とする素子（例えば、スイッチ、トランジスタ、容量素子、インダクタ、抵抗素子、ダイオード、表示素子、発光素子、負荷など）が、ＸとＹとの間に１個以上接続されることが可能である。なお、スイッチは、オンオフが制御される機能を有している。つまり、スイッチは、導通状態（オン状態）、又は、非導通状態（オフ状態）になり、電流を流すか流さないかを制御する機能を有している。
【０３４６】
ＸとＹとが機能的に接続されている場合の一例としては、ＸとＹとの機能的な接続を可能とする回路（例えば、論理回路（インバータ、ＮＡＮＤ回路、ＮＯＲ回路など）、信号変換回路（ＤＡ変換回路、ＡＤ変換回路、ガンマ補正回路など）、電位レベル変換回路（電源回路（昇圧回路、降圧回路など）、信号の電位レベルを変えるレベルシフタ回路など）、電圧源、電流源、切り替え回路、増幅回路（信号振幅又は電流量などを大きく出来る回路、オペアンプ、差動増幅回路、ソースフォロワ回路、バッファ回路など）、信号生成回路、記憶回路、制御回路など）が、ＸとＹとの間に１個以上接続されることが可能である。なお、一例として、ＸとＹとの間に別の回路を挟んでいても、Ｘから出力された信号がＹへ伝達される場合は、ＸとＹとは機能的に接続されているものとする。
【０３４７】
なお、ＸとＹとが電気的に接続されている、と明示的に記載する場合は、ＸとＹとが電気的に接続されている場合（つまり、ＸとＹとの間に別の素子又は別の回路を挟んで接続されている場合）と、ＸとＹとが機能的に接続されている場合（つまり、ＸとＹとの間に別の回路を挟んで機能的に接続されている場合）と、ＸとＹとが直接接続されている場合（つまり、ＸとＹとの間に別の素子又は別の回路を挟まずに接続されている場合）とを含むものとする。つまり、電気的に接続されている、と明示的に記載する場合は、単に、接続されている、とのみ明示的に記載されている場合と同じであるとする。
【０３４８】
なお、例えば、トランジスタのソース（又は第１の端子など）が、Ｚ１を介して（又は介さず）、Ｘと電気的に接続され、トランジスタのドレイン（又は第２の端子など）が、Ｚ２を介して（又は介さず）、Ｙと電気的に接続されている場合や、トランジスタのソース（又は第１の端子など）が、Ｚ１の一部と直接的に接続され、Ｚ１の別の一部がＸと直接的に接続され、トランジスタのドレイン（又は第２の端子など）が、Ｚ２の一部と直接的に接続され、Ｚ２の別の一部がＹと直接的に接続されている場合では、以下のように表現することが出来る。
【０３４９】
例えば、「ＸとＹとトランジスタのソース（又は第１の端子など）とドレイン（又は第２の端子など）とは、互いに電気的に接続されており、Ｘ、トランジスタのソース（又は第１の端子など）、トランジスタのドレイン（又は第２の端子など）、Ｙの順序で電気的に接続されている。」と表現することができる。又は、「トランジスタのソース（又は第１の端子など）は、Ｘと電気的に接続され、トランジスタのドレイン（又は第２の端子など）はＹと電気的に接続され、Ｘ、トランジスタのソース（又は第１の端子など）、トランジスタのドレイン（又は第２の端子など）、Ｙは、この順序で電気的に接続されている」と表現することができる。又は、「Ｘは、トランジスタのソース（又は第１の端子など）とドレイン（又は第２の端子など）とを介して、Ｙと電気的に接続され、Ｘ、トランジスタのソース（又は第１の端子など）、トランジスタのドレイン（又は第２の端子など）、Ｙは、この接続順序で設けられている」と表現することができる。これらの例と同様な表現方法を用いて、回路構成における接続の順序について規定することにより、トランジスタのソース（又は第１の端子など）と、ドレイン（又は第２の端子など）とを、区別して、技術的範囲を決定することができる。なお、これらの表現方法は、一例であり、これらの表現方法に限定されない。ここで、Ｘ、Ｙ、Ｚ１、Ｚ２は、対象物（例えば、装置、素子、回路、配線、電極、端子、導電膜、層、など）であるとする。
【０３５０】
なお、回路図上は独立している構成要素同士が電気的に接続しているように図示されている場合であっても、１つの構成要素が、複数の構成要素の機能を併せ持っている場合もある。例えば配線の一部が電極としても機能する場合は、一の導電膜が、配線の機能、及び電極の機能の両方の構成要素の機能を併せ持っている。したがって、本明細書における電気的に接続とは、このような、一の導電膜が、複数の構成要素の機能を併せ持っている場合も、その範疇に含める。
【０３５１】
＜＜平行、垂直について＞＞
本明細書において、「平行」とは、二つの直線が−１０°以上１０°以下の角度で配置されている状態をいう。したがって、−５°以上５°以下の場合も含まれる。また、「略平行」とは、二つの直線が−３０°以上３０°以下の角度で配置されている状態をいう。また、「垂直」とは、二つの直線が８０°以上１００°以下の角度で配置されている状態をいう。したがって、８５°以上９５°以下の場合も含まれる。また、「略垂直」とは、二つの直線が６０°以上１２０°以下の角度で配置されている状態をいう。
【符号の説明】
【０３５２】
ＳＴ１    ステップ
ＳＴ２    ステップ
ＳＴ３    ステップ
ＳＴ４    ステップ
ＳＴ５    ステップ
ＳＴ６    ステップ
ＳＴ７    ステップ
ＳＴ８    ステップ
ＳＴ９    ステップ
ＳＴ１０    ステップ
ＳＴ１１    ステップ
ＳＴ１２    ステップ
ＳＴ１３    ステップ
ＳＴ１４    ステップ
ＳＴ１５    ステップ
ＳＴ１６    ステップ
ＳＴ１７    ステップ
ＳＴ１８    ステップ
ＳＴ１９    ステップ
ＳＴ２０    ステップ
ＳＴ２１    ステップ
ＳＴ２２    ステップ
ＳＴ２３    ステップ
ＳＴ２４    ステップ
ＳＴ３１    ステップ
ＳＴ３２    ステップ
ＳＴ３３    ステップ
ＳＴ４１    ステップ
ＳＴ４２    ステップ
ＳＴ４３    ステップ
ＳＬ    信号線
ＤＬ    信号線
ＧＬ    ゲート線
ＧＬ２    ゲート線
ＡＬ    電流供給線
ＳＮＬ    配線
ＤＲＬ    配線
Ｍ    トランジスタ
Ｍ１    トランジスタ
Ｍ２    トランジスタ
Ｍ３    トランジスタ
ＣｓＬＣ    容量素子
ＣｓＥＬ    容量素子
ＣＴαβ    容量素子
ＡＦ１    配向膜
ＡＦ２    配向膜
ＫＢ１    構造体
ＫＢ２    構造体
ＣＦ１    着色膜
１０    画像データ
１００    電子機器システム
１０１    表示部
１０１ａ    第１表示領域
１０１ｂ    第２表示領域
１０２ａ    第１ドライバ
１０２ｂ    第２ドライバ
１０３    制御装置
１０４    入力インターフェース
１０５    照度センサ
１０６    外光
１１０    ハイブリッド表示装置
１１１ａ    ソースドライバ
１１１ｂ    ソースドライバ
１１２ａ    ゲートドライバ
１１２ｂ    ゲートドライバ
１１３    タイミングコントローラ
１１４    表示コントローラ
１１５    ＣＰＵ
１１６    フレームメモリ
１１７    画像処理装置
１１８    センサコントローラ
２０１    第１表示素子
２０２    第２表示素子
２０３    開口部
２０４    反射光
２０５    透過光
２０６    画素回路
２０７    画素回路
２１０    表示装置
２１４    表示部
２１６    回路
２１８    配線
２２０    ＩＣ
２２２    ＦＰＣ
３００    タッチセンサユニット
３０１    基材
３０２    センサアレイ
３１１    ＴＳドライバＩＣ
３１２    センス回路
３１３    ＦＰＣ
３１４    ＦＰＣ
３１５    周辺回路
３２０    接続部
３２１    接続部
３３１    配線
３３２    配線
３３３    配線
３３４    配線
９００    電子機器
９０１    筐体
９０１ａ    筐体
９０１ｂ    筐体
９０２    表示部
９０２ａ    表示部
９０２ｂ    表示部
９０３    ヒンジ
９１０    電子機器
９１１ａ    筐体
９１１ｂ    筐体
９１２    表示部
９１３    ヒンジ
９１４ａ    操作ボタン
９１４ｂ    操作ボタン
９１５    カートリッジ
９２０    電子機器
９２１ａ    筐体
９２１ｂ    筐体
９２２    表示部
９２３    ヒンジ
２０１０    ユニット
２０２０    ユニット
２０３０    入力ユニット
２５０１Ｃ    絶縁膜
２５０５    接合層
２５１２Ｂ    導電膜
２５２０    機能層
２５２１    絶縁膜
２５２１Ａ    絶縁膜
２５２１Ｂ    絶縁膜
２５２２    接続部
２５２８    絶縁膜
２５５０    表示素子
２５５０（ｉ，ｊ）    表示素子
２５５１（ｉ，ｊ）    電極
２５５２    電極
２５５３    発光性の材料を含む層
２５６０    光学素子
２５６５    被覆膜
２５７０    基板
２５８０    レンズ
２５９１Ａ    開口部
２７００ＴＰ３    入出力パネル
２７０２（ｉ，ｊ）    画素
２７２０    機能層
２７５０    表示素子
２７５０（ｉ，ｊ）    表示素子
２７５１    電極
２７５１（ｉ，ｊ）    電極
２７５１Ｈ    領域
２７５２    電極
２７５３    液晶材料を含む層
２７７０    基板
２７７０Ｄ    機能膜
２７７０Ｐ    機能膜
２７７０ＰＡ    位相差フィルム
２７７０ＰＢ    偏光層
２７７１    絶縁膜
５４０１    筐体
５４０２    表示部
５４０３    キーボード
５４０４    ポインティングデバイス
５５０１    筐体
５５０２    表示部
５５０３    マイク
５５０４    スピーカ
５５０５    操作ボタン
５７０１    表示パネル
５７０２    表示パネル
５７０３    表示パネル
５７０４    表示パネル
５８０１    第１筐体
５８０２    第２筐体
５８０３    表示部
５８０４    操作キー
５８０５    レンズ
５８０６    接続部
５９０１    筐体
５９０２    表示部
５９０３    操作ボタン
５９０４    操作子
５９０５    バンド
８０００    表示モジュール
８００１    上部カバー
８００２    下部カバー
８００５    ＦＰＣ
８００６    表示パネル
８００９    フレーム
８０１０    プリント基板
８０１１    バッテリ
８０１５    発光部
８０１６    受光部
８０１７ａ    導光部
８０１７ｂ    導光部
８０１８    光
９０００    筐体
９００１    表示部
９００３    スピーカ
９００５    操作キー
９００６    接続端子
９００７    センサ
９１００    テレビジョン装置
【図１】
2018056815.tif 000003
【図２】
2018056815.tif 000004
【図３】
2018056815.tif 000005
【図４】
2018056815.tif 000006
【図５】
2018056815.tif 000007
【図６】
2018056815.tif 000008
【図７】
2018056815.tif 000009
【図８】
2018056815.tif 000010
【図９】
2018056815.tif 000011
【図１０】
2018056815.tif 000012
【図１１】
2018056815.tif 000013
【図１２】
2018056815.tif 000014
【図１３】
2018056815.tif 000015
【図１４】
2018056815.tif 000016
【図１５】
2018056815.tif 000017
【図１６】
2018056815.tif 000018